(57)【特許請求の範囲】
【請求項１】
無線通信ネットワークにおいて使用するための方法であって、
少なくとも１つの衛星測位システム（ＳＰＳ）に関連する複数の符号位相値を表す位置決定情報信号に少なくとも部分的に基づいて符号位相原点基準値を確立することと、
前記複数の符号位相値に対応する複数の符号化符号位相値（該複数の符号化符号位相値の各々は前記符号位相原点基準値に関連する）を確立することと、
前記複数の符号化符号位相値を表し前記符号位相原点基準値を特定する信号を含む少なくとも１つのメッセージを送信することを含む方法。
【請求項２】
前記複数の符号位相値の少なくとも一部分は、異なる基準時間値に関連する請求項１に記載の方法。
【請求項３】
前記符号位相原点基準値は、前記異なる基準時間値とは無関係である請求項２に記載の方法。
【請求項４】
前記符号位相原点基準値は、前記複数の符号位相値の平均を含む請求項１に記載の方法。
【請求項５】
前記少なくとも１つのメッセージは、捕捉支援情報を含み、
前記少なくとも１つのメッセージは、ロケーションサーバによって移動局に送信される請求項１に記載の方法。
【請求項６】
前記少なくとも１つのメッセージは、擬似距離測定情報を含み、
前記少なくとも１つのメッセージは、移動局によってロケーションサーバに送信される請求項１に記載の方法。
【請求項７】
前記少なくとも１つのメッセージは、少なくとも１つの位置決定データメッセージ（ＰＤＤＭ）を含む請求項１に記載の方法。
【請求項８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項１に記載の方法。
【請求項９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース及び／又はＣｏｍｐａｓｓ／ＢｅｉＤｏｕリソースのうちの少なくとも１つを含む請求項８に記載の方法。
【請求項１０】
前記ＧＮＳＳリソースは、ＧＮＳＳ信号、ＧＮＳＳ信号帯域及び／又は宇宙ビークル（ＳＶ）のうちの少なくとも１つに関連する請求項８に記載の方法。
【請求項１１】
無線通信ネットワークにおいて使用するための方法であって、
１又は複数の衛星測位システム（ＳＰＳ）に関連する複数の符号化符号位相値を表し符号位相原点基準値を特定する信号を含む少なくとも１つのメッセージを受信することと、
前記複数の符号化符号位相値と前記符号位相原点基準値とに少なくとも部分的に基づいて、前記複数の符号化符号位相値に対応する複数の符号位相値を確立することを含む方法。
【請求項１２】
前記少なくとも１つのメッセージは、基準時間値を特定する信号を含み、
前記複数の符号位相値を確立することは、前記複数の符号化符号位相値と、前記符号位相原点基準値と、前記基準時間値とに少なくとも部分的に基づいて、前記複数の符号位相値を確立することを含む請求項１１に記載の方法。
【請求項１３】
前記複数の符号位相値の各々は、前記符号位相原点基準値と前記複数の符号化符号位相値のうちの対応する符号化符号位相値とを基準時間値から減算することによって、確立される請求項１１に記載の方法。
【請求項１４】
前記基準時間値は、局所時間値を含む請求項１３に記載の方法。
【請求項１５】
前記少なくとも１つのメッセージは、ロケーションサーバによって移動局に送信される捕捉支援情報を含む請求項１１に記載の方法。
【請求項１６】
前記少なくとも１つのメッセージは、移動局によってロケーションサーバに送信される擬似距離測定情報を含む請求項１１に記載の方法。
【請求項１７】
前記少なくとも１つのメッセージは、少なくとも１つの位置決定データメッセージ（ＰＤＤＭ）を含む請求項１１に記載の方法。
【請求項１８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項１１に記載の方法。
【請求項１９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項１８に記載の方法。
【請求項２０】
前記ＧＮＳＳリソースは、ＧＮＳＳ信号、ＧＮＳＳ信号帯域、及び／又は宇宙ビークル（ＳＶ）のうちの少なくとも１つに関連する請求項１８に記載の方法。
【請求項２１】
無線通信ネットワークにおいて使用するための特定の装置であって、
少なくとも１つの衛星測位システム（ＳＰＳ）に関連する複数の符号位相値を表す位置決定情報信号にアクセスするための手段と、
前記位置決定情報信号に少なくとも部分的に基づいて符号位相原点基準値を確立するための手段と、
前記複数の符号位相値に対応する複数の符号化符号位相値（該複数の符号化符号位相値の各々は前記符号位相原点基準値に関連する）を確立するための手段と、
前記複数の符号化符号位相値を表し前記符号位相原点基準値を特定する信号を含む少なくとも１つのメッセージを送信するための手段とを含む特定の装置。
【請求項２２】
前記複数の符号位相値の少なくとも一部分は、異なる基準時間値に関連する請求項２１に記載の特定の装置。
【請求項２３】
前記符号位相原点基準値は、前記異なる基準時間値とは無関係である請求項２２に記載の特定の装置。
【請求項２４】
前記符号位相原点基準値は、前記複数の符号位相値の平均を含む請求項２１に記載の特定の装置。
【請求項２５】
前記少なくとも１つのメッセージは、捕捉支援情報を含み、
前記少なくとも１つのメッセージは、ロケーションサーバによって移動局に送信される請求項２１に記載の特定の装置。
【請求項２６】
前記少なくとも１つのメッセージは、擬似距離測定情報を含み、
前記少なくとも１つのメッセージは、移動局によってロケーションサーバに送信される請求項２１に記載の特定の装置。
【請求項２７】
前記少なくとも１つのメッセージは、少なくとも１つの位置決定データメッセージ（ＰＤＤＭ）を含む請求項２１に記載の特定の装置。
【請求項２８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項２１に記載の特定の装置。
【請求項２９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項２８に記載の特定の装置。
【請求項３０】
前記ＧＮＳＳリソースは、ＧＮＳＳ信号、ＧＮＳＳ信号帯域、及び／又は宇宙ビークル（ＳＶ）のうちの少なくとも１つに関連する、請求項２８に記載の特定の装置。
【請求項３１】
無線通信ネットワークにおいて使用するための特定の装置であって、
１又は複数の衛星測位システム（ＳＰＳ）に関連する複数の符号化符号位相値を表し符号位相原点基準値を特定する信号を含む少なくとも１つのメッセージを受信するための手段と、
前記複数の符号化符号位相値と前記符号位相原点基準値とに少なくとも部分的に基づいて、前記複数の符号化符号位相値に対応する複数の符号位相値を確立するための手段とを含む特定の装置。
【請求項３２】
前記少なくとも１つのメッセージは、基準時間値を特定する信号を含み、
前記複数の符号位相値を確立する前記手段は、前記複数の符号化符号位相値と、前記符号位相原点基準値と、前記基準時間値とに少なくとも部分的に基づいて、前記複数の符号位相値を確立するための手段を含む請求項３１に記載の特定の装置。
【請求項３３】
前記複数の符号位相値の各々は、前記符号位相原点基準値と前記複数の符号化符号位相値のうちの対応する符号化符号位相値とを基準時間値から減算することによって、確立される請求項３１に記載の特定の装置。
【請求項３４】
前記基準時間値は、局所時間値を含む請求項３３に記載の特定の装置。
【請求項３５】
前記少なくとも１つのメッセージは、ロケーションサーバによって移動局に送信される捕捉支援情報を含む請求項３１に記載の特定の装置。
【請求項３６】
前記少なくとも１つのメッセージは、移動局によってロケーションサーバに送信される擬似距離測定情報を含む請求項３１に記載の特定の装置。
【請求項３７】
前記少なくとも１つのメッセージは、少なくとも１つの位置決定データメッセージ（ＰＤＤＭ）を含む請求項３１に記載の特定の装置。
【請求項３８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの前記少なくとも１つに関連する少なくとも１つのＧＮＳＳリソースとを特定する信号を含む請求項３１に記載の特定の装置。
【請求項３９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項３８に記載の特定の装置。
【請求項４０】
前記ＧＮＳＳリソースは、ＧＮＳＳ信号、ＧＮＳＳ信号帯域、及び／又は宇宙ビークル（ＳＶ）のうちの少なくとも１つに関連する請求項３８に記載の特定の装置。
【請求項４１】
無線通信ネットワークにおいて使用するための特定の装置であって、
少なくとも１つのＳＰＳに関連する複数の符号位相値を表す位置決定情報信号にアクセスすることと、前記位置決定情報信号に少なくとも部分的に基づいて符号位相原点基準値を確立することと、前記複数の符号位相値に対応する複数の符号化符号位相値（該複数の符号化符号位相値の各々は前記符号位相原点基準値に関連する）を確立することとが実効的に可能である信号プロセッサと、
少なくとも前記信号プロセッサに動作可能に接続され、前記複数の符号化符号位相値を表し前記符号位相原点基準値を特定する信号を含む少なくとも１つのメッセージを送信することが実効的に可能である送信機とを含む特定の装置。
【請求項４２】
前記複数の符号位相値の少なくとも一部分は、異なる基準時間値に関連する請求項４１に記載の特定の装置。
【請求項４３】
前記符号位相原点基準値は、前記異なる基準時間値とは無関係である請求項４２に記載の特定の装置。
【請求項４４】
前記符号位相原点基準値は、前記複数の符号位相値の平均を含む請求項４１に記載の特定の装置。
【請求項４５】
前記特定の装置は、ロケーションサーバを含み、
前記少なくとも１つのメッセージは、捕捉支援情報を含み、
前記少なくとも１つのメッセージは、前記送信機によって移動局に送信される請求項４１に記載の特定の装置。
【請求項４６】
前記特定の装置は、移動局を含み、
前記少なくとも１つのメッセージは、擬似距離測定情報を含み、
前記少なくとも１つのメッセージは、前記送信機によってロケーションサーバに送信される請求項４１に記載の特定の装置。
【請求項４７】
前記少なくとも１つのメッセージは、少なくとも１つの位置決定データメッセージ（ＰＤＤＭ）を含む請求項４１に記載の特定の装置。
【請求項４８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項４１に記載の特定の装置。
【請求項４９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項４８に記載の特定の装置。
【請求項５０】
前記ＧＮＳＳリソースは、ＧＮＳＳ信号、ＧＮＳＳ信号帯域、及び／又は宇宙ビークル（ＳＶ）のうちの少なくとも１つに関連する請求項４８に記載の特定の装置。
【請求項５１】
無線通信ネットワークにおいて使用するための特定の装置であって、
１又は複数の衛星測位システム（ＳＰＳ）に関連する複数の符号化符号位相値を表し符号位相原点基準値を特定する信号を含む少なくとも１つのメッセージを受信することが実効的に可能である受信機と、
前記複数の符号化符号位相値と前記符号位相原点基準値とに少なくとも部分的に基づいて、前記複数の符号化符号位相値に対応する複数の符号位相値を確立することが実効的に可能である信号プロセッサとを含む特定の装置。
【請求項５２】
前記少なくとも１つのメッセージは、基準時間値を特定する信号を含み、
前記信号プロセッサは、前記複数の符号化符号位相値と、前記符号位相原点基準値と、前記基準時間値とに少なくとも部分的に基づいて、前記複数の符号位相値を確立することが実効的に可能である請求項５１に記載の特定の装置。
【請求項５３】
前記複数の符号位相値の各々は、前記符号位相原点基準値と前記複数の符号化符号位相値のうちの対応する符号化符号位相値とを基準時間値から減算することによって、確立される請求項５１に記載の特定の装置。
【請求項５４】
前記基準時間値は、局所時間値を含む請求項５３に記載の特定の装置。
【請求項５５】
前記特定の装置は、移動局を含み、
前記少なくとも１つのメッセージは、ロケーションサーバによって送信される捕捉支援情報信号を含む請求項５１に記載の特定の装置。
【請求項５６】
前記特定の装置は、ロケーションサーバを含み、
前記少なくとも１つのメッセージは、移動局によって送信される似距離測定情報信号を含む請求項５１に記載の特定の装置。
【請求項５７】
前記少なくとも１つのメッセージは、少なくとも１つの位置決定データメッセージ（ＰＤＤＭ）を含む請求項５１に記載の特定の装置。
【請求項５８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項５１に記載の特定の装置。
【請求項５９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項５８に記載の特定の装置。
【請求項６０】
前記ＧＮＳＳリソースは、ＧＮＳＳ信号、ＧＮＳＳ信号帯域、及び／又は宇宙ビークル（ＳＶ）のうちの少なくとも１つに関連する請求項５８に記載の特定の装置。
【請求項６１】
特定の装置中の１又は複数の処理ユニットによって実施された場合に、前記特定の装置が、
少なくとも１つの衛星測位システム（ＳＰＳ）に関連する複数の符号位相値を表す位置決定情報信号に少なくとも部分的に基づいて符号位相原点基準値を確立することと、
前記複数の符号位相値に対応する複数の符号化符号位相値（該複数の符号化符号位相値の各々は前記符号位相原点基準値に関連する）を確立することと、
前記複数の符号化符号位相値を表し前記符号位相原点基準値を特定する信号を含む少なくとも１つのメッセージの送信を開始することと
を行うことを実効的に可能にするコンピュータ実行可能命令を記憶したコンピュータ読み取り可能な媒体を含む物品。
【請求項６２】
前記複数の符号位相値の少なくとも一部分は、異なる基準時間値に関連する請求項６１に記載の物品。
【請求項６３】
前記符号位相原点基準値は、前記異なる基準時間値とは無関係である請求項６２に記載の物品。
【請求項６４】
前記符号位相原点基準値は、前記複数の符号位相値の平均を含む請求項６１に記載の物品。
【請求項６５】
前記特定の装置は、ロケーションサーバを含み、
前記少なくとも１つのメッセージは、捕捉支援情報を含み、
前記少なくとも１つのメッセージは、前記ロケーションサーバによって移動局に送信される請求項６１に記載の物品。
【請求項６６】
前記特定の装置は、移動局を含み、
前記少なくとも１つのメッセージは、擬似距離測定情報を含み、
前記少なくとも１つのメッセージは、前記移動局によってロケーションサーバに送信される請求項６１に記載の物品。
【請求項６７】
前記少なくとも１つのメッセージは、少なくとも１つの位置決定データメッセージ（ＰＤＤＭ）を含む請求項６１に記載の物品。
【請求項６８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項６１に記載の物品。
【請求項６９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項６８に記載の物品。
【請求項７０】
前記ＧＮＳＳリソースは、ＧＮＳＳ信号、ＧＮＳＳ信号帯域、及び／又は宇宙ビークル（ＳＶ）のうちの少なくとも１つに関連する請求項６８に記載の物品。
【請求項７１】
特定の装置中の１又は複数の処理ユニットによって実施された場合に、前記特定の装置が、
１又は複数の衛星測位システム（ＳＰＳ）に関連する複数の符号化符号位相値を表し符号位相原点基準値を特定する信号を含む少なくとも１つのメッセージにアクセスすることと、
前記複数の符号化符号位相値と前記符号位相原点基準値とに少なくとも部分的に基づいて、前記複数の符号化符号位相値に対応する複数の符号位相値を確立することとを行うことを実効的に可能にするコンピュータ実行可能命令を記憶したコンピュータ読み取り可能な媒体を含む物品。
【請求項７２】
前記少なくとも１つのメッセージは、基準時間値を特定する信号を含み、
１又は複数の処理ユニットによって実施された場合、前記特定の装置が、前記複数の符号化符号位相値と、前記符号位相原点基準値と、前記基準時間値とに少なくとも部分的に基づいて、前記複数の符号位相値を確立することが実効的に可能であるコンピュータ実行可能命令をさらに含む請求項７１に記載の物品。
【請求項７３】
前記複数の符号位相値の各々は、前記符号位相原点基準値と前記複数の符号化符号位相値のうちの対応する符号化符号位相値とを基準時間値から減算することによって、確立される請求項７１に記載の物品。
【請求項７４】
前記基準時間値は、局所時間値を含む請求項７３に記載の物品。
【請求項７５】
前記特定の装置は、移動局を含み、
前記少なくとも１つのメッセージは、ロケーションサーバによって送信される捕捉支援情報信号を含む請求項７１に記載の物品。
【請求項７６】
前記特定の装置は、ロケーションサーバを含み、
前記少なくとも１つのメッセージは、移動局によって送信される似距離測定情報信号を含む請求項７１に記載の物品。
【請求項７７】
前記少なくとも１つのメッセージは、少なくとも１つの位置決定データメッセージ（ＰＤＤＭ）を含む請求項７１に記載の物品。
【請求項７８】
前記少なくとも１つのＳＰＳは、少なくとも１つの全地球的航法衛星システム（ＧＮＳＳ）を含み、
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む請求項７１に記載の物品。
【請求項７９】
前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む請求項７８に記載の物品。
【請求項８０】
前記ＧＮＳＳリソースは、ＧＮＳＳ信号、ＧＮＳＳ信号帯域、及び／又は宇宙ビークル（ＳＶ）のうちの少なくとも１つに関連する請求項７８に記載の物品。
【発明の詳細な説明】
【技術分野】
【０００１】
（関連出願）
本特許出願は、本出願の譲受人に譲渡され、その全体が参照により本明細書に明確に組み込まれる、２００８年６月１３日に出願された「Generic Code Phase Encoding for GNSS System」と題する同時継続の米国特許仮出願第６１／０６１，２２９号の利益及び優先権を主張する。
【０００２】
本明細書で開示される主題は、無線通信ネットワーク及びデバイスに関し、より詳細には、様々な衛星測位システム（ＳＰＳ）に関連する符号位相関連情報を要求及び／又は提供するために無線通信ネットワーク内のデバイスが使用するための方法及び装置に関する。
【背景技術】
【０００３】
無線通信ネットワークに関連するデバイスのロケーションを推定あるいは決定するために位置決定プロセスを使用することができる。特定の例では、例えばセルラー電話又は他の同様の移動局のようなモバイルデバイスのロケーション座標を推定するために位置決定プロセスを実装することがある。位置決定プロセスをサポートするために利用可能な様々な技法がある。例えば、移動局のロケーションを推定するために例えばグローバル・ポジショニング・システム（Global Positioning System）（ＧＰＳ）のような衛星測位システム（Satellite Positioning System）（ＳＰＳ）及び／又は他の同様のシステムを使用することができる。無線通信ネットワークに関して、いくつかの位置決定プロセスでは、情報及び／又は処理タスクを、複数のデバイスの間及び／又は複数のデバイスの中で共有及び／又は分散する必要があることがある。例えば、いくつかの例では、位置決定プロセスの一部として、１又は複数の他のデバイスによって移動局が何らかの方法で支援されることがある。したがって、そのようなデバイスが、何らかの方法で、例えば、無線リンクを介した１又は複数の位置決定通信セッションによって、通信する必要がしばしばある。したがって、そのような位置決定通信セッションを可能にし、したがって位置決定プロセスをサポートする、１又は複数の測位プロトコル（positioning protocol）が開発されても良い。
【発明の概要】
【０００４】
いくつかの態様によれば、様々な衛星測位システム（ＳＰＳ）に関連する符号位相関連情報を要求及び／又は提供するために無線通信ネットワーク内の１又は複数のデバイスにおいて使用するためのいくつかの例示的な方法及び装置を提供する。
【０００５】
例として、少なくとも１つのＳＰＳに関連する複数の符号位相値を表す１又は複数の位置決定情報信号に少なくとも部分的に基づくことができる符号位相原点基準値を確立することを含む方法を実装することができる。本方法は、複数の符号位相値に対応する複数の符号化符号位相値（該複数の符号化符号位相値の各々は符号位相原点基準値に関連する）を確立することをさらに含むことができる。本方法はまた、複数の符号化符号位相値を表し符号位相原点基準値を特定する信号を含む少なくとも１つのメッセージを送信することを含むことができる。
【０００６】
いくつかの例示的な実装形態では、複数の符号位相値の少なくとも一部分は異なる基準時間値に関連することができる。いくつかの例示的な実装形態では、符号位相原点基準値は異なる基準時間値とは無関係であるとすることができる。いくつかの例示的な実装形態では、符号位相原点基準値は複数の符号位相値の平均を含むことができる。
【０００７】
いくつかの例示的な実装形態では、符号化符号位相値は捕捉支援情報（acquisition assistance information）を含むことができ、送信されるメッセージはロケーションサーバによって移動局に送信される。いくつかの他の例示的な実装形態では、符号化符号位相値は擬似距離測定情報を含むことができ、送信されるメッセージは移動局によってロケーションサーバに送信される。
【０００８】
いくつかの例示的な実装形態では、ＳＰＳは１又は複数の全地球的航法衛星システム（Global Navigation Satellite System）（ＧＮＳＳ）を含むことができ、送信されるメッセージは、ＧＮＳＳと、符号化符号位相値の少なくとも１つに関連する少なくとも１つのＧＮＳＳリソースとを特定することができる。例えば、いくつかの実装形態では、ＧＮＳＳリソースは、ＧＰＳリソース、ＳＢＡＳリソース、ＱＺＳＳリソース、ＧＬＯＮＡＳＳリソース、Ｇａｌｉｌｅｏリソース、Ｃｏｍｐａｓｓ／ＢｅｉＤｏｕリソースなどを含むことができる。例えば、ＧＮＳＳリソースは、ＧＮＳＳ信号、ＧＮＳＳ信号帯域、宇宙ビークル（ＳＶ）などのうちの少なくとも１つに関連することができる。
【０００９】
さらに別の態様によれば、１又は複数のＳＰＳに関連する複数の符号化符号位相値を表し符号位相原点基準値を特定する信号を有する少なくとも１つのメッセージを受信することを含む方法を提供することができる。本方法はまた、複数の符号化符号位相値と符号位相原点基準値とに少なくとも部分的に基づいて、複数の符号化符号位相値に対応する複数の符号位相値を確立することを含むことができる。
【００１０】
いくつかの例示的な実装形態では、受信されたメッセージは基準時間値を特定することができ、複数の符号位相値は、符号化符号位相値及び符号位相原点基準値とともに、その基準時間値に少なくとも部分的に基づくことができる。
【００１１】
いくつかの例示的な実装形態では、符号位相値の各々は、符号位相原点基準値と複数の符号化符号位相値のうちの対応する符号化符号位相値とを基準時間値から減算することによって確立できる。一部の例示的な実装形態では、基準時間値は局所時間値に関連することができる。
【００１２】
いくつかの例示的な実装形態では、メッセージは、ロケーションサーバから移動局によって受信され、捕捉支援情報信号を含むことができる。いくつかの他の実装形態では、メッセージは、移動局からロケーションサーバによって受信され、擬似距離測定情報信号を含むことができる。
【００１３】
いくつかの他の態様によれば、無線通信ネットワークにおいて使用するための特定の装置を提供することができる。本特定の装置は、例えば、少なくとも信号プロセッサと送信機とを含むことができる。信号プロセッサは、少なくとも１つのＳＰＳに関連する複数の符号位相値を表す位置決定情報信号にアクセスすることと、位置決定情報信号に少なくとも部分的に基づいて符号位相原点基準値を確立することと、複数の符号位相値に対応する複数の符号化符号位相値を確立することとが実効的に可能である。ここで、例えば、符号化符号位相値の各々は符号位相原点基準値に関連することができる。送信機は、符号化符号位相値と符号位相原点基準値とを表す１又は複数の信号を含む少なくとも１つのメッセージを送信することが実効的に可能である。
【００１４】
いくつかの例示的な実装形態では、本特定の装置はロケーションサーバを含むことができ、符号化符号位相値は、移動局が使用する捕捉支援情報を含むことができる。いくつかの他の例示的な実装形態では、本特定の装置は移動局を含むことができ、符号化符号位相値は、ロケーションサーバが使用する擬似距離測定情報を含むことができる。
【００１５】
さらに別の態様によれば、無線通信ネットワークにおいて使用するための特定の装置を提供することができる。本特定の装置は、例えば、少なくとも受信機と信号プロセッサとを含むことができる。受信機は、１又は複数のＳＰＳに関連する複数の符号化符号位相値と符号位相原点基準値とを表す信号を有する少なくとも１つのメッセージを受信することが実効的に可能である。信号プロセッサは、符号化符号位相値と符号位相原点基準値とに少なくとも部分的に基づいて、符号化符号位相値に対応する複数の符号位相値を確立することが実効的に可能である。
【００１６】
いくつかの例示的な実装形態では、本特定の装置は移動局を含むことができ、受信されたメッセージは、ロケーションサーバによって送信される捕捉支援情報信号を含むことができる。他の例示的な実装形態では、本特定の装置はロケーションサーバを含むことができ、受信されたメッセージは、移動局によって送信される擬似距離測定情報信号を含むことができる。
【図面の簡単な説明】
【００１７】
【図１】一実装形態による、少なくとも２つのデバイスが互いに通信することができ、位置決定プロセスを開始および／あるいはサポートすることができる例示的な無線通信ネットワーク環境を示す概略ブロック図。
【図２】一実装形態による、位置決定プロセスを開始および／あるいはサポートすることができるデバイスのいくつかの例示的な特徴を示す概略ブロック図である。
【図３】一実装形態による、位置決定プロセスを開始および／あるいはサポートするために１又は複数のデバイスに実装できる例示的な方法を示すフローチャートである。
【図４】一実装形態による、位置決定プロセスの一部として捕捉支援情報の共有をサポートするように実装できるように符号位相原点基準値を使用する符号化及び復号技法を示す例示的なタイムライン・ダイアグラムである。
【図５】一実装形態による、位置決定プロセスの一部として擬似距離測定情報の共有をサポートするように実装できるように符号位相原点基準値を使用する符号化及び復号技法を示す例示的なタイムライン・ダイアグラムである。
【詳細な説明】
【００１８】
以下の図を参照しながら非限定的で非網羅的な態様について説明し、別段の規定がない限り、様々な図の全体を通して、同様の参照番号は同様の部分を指す。
【００１９】
位置決定プロセスを使用して、デバイスのロケーション、及び、特定の例では移動局などのモバイルデバイスのロケーションを、推定あるいは決定することができる。位置決定プロセスをサポートするために利用可能な様々な技法がある。無線通信ネットワークに関して、いくつかの位置決定プロセスでは、情報及び／又は処理タスクを、複数のデバイスの間及び／又は複数のデバイスの中に分散する必要がある。例えば、いくつかの例では、位置決定プロセスの一部として、１又は複数の他のデバイスによって移動局が何らかの方法で支援されることがある。したがって、そのようなデバイスが、何らかの方法で、例えば無線リンクを介して１又は複数の通信セッション（例えば、「位置決定通信セッション（position determination communication sessions）」）によって、通信することが必要であることがある。様々な位置決定プロセスをサポートするためにそのような位置決定通信セッションを可能にする１又は複数の測位プロトコルが開発される。そのような測位プロトコルは、移動局及びロケーションサーバなどのデバイス間で共有すべき衛星測位システム（ＳＰＳ）に関連する符号位相関連情報を提供することができる。
【００２０】
したがって、いくつかの例示的な態様によれば、例えば、位置決定プロセスの一部として、様々な衛星測位システム（ＳＰＳ）に関連する符号位相関連情報を確立、共有及び／又は利用するために、方法及び装置を、無線通信ネットワーク内のロケーションサーバ、移動局、及び／又は他の同様のデバイス及び／又はその内部の特定の装置に実装することができる。
【００２１】
例えば、その一部又は全部が異なる基準時間値（reference time values）に関係することができる、様々な異なるＳＰＳ／ＧＮＳＳリソースに関連する符号位相値（code phase values）が、代わりに、送信デバイスによって確立される「汎用（generic）」符号位相原点基準値（code phase origin reference value）に関連するように、方法及び装置を送信デバイス中に埋め込む（implanted in）ことができる。次いで、得られた符号化符号位相値（encoded code phase values）と符号位相原点基準値とを１又は複数のメッセージ中で追加の位置決定情報とともに受信デバイスに送信することができる。次いで、受信デバイスは、基準時間と、受信した「汎用」符号位相原点基準値と、符号化符号位相値とに少なくとも部分的に基づいて、対応する符号位相値を再確立することができる。
【００２２】
例として、無線通信ネットワークにおいて使用するための例示的な方法を提供することができる。例えば、そのような方法はロケーションサーバ及び／又は移動局中に実装できる。そのような方法は、少なくとも１つのＳＰＳに関連する複数の符号位相値を表す位置決定情報信号に少なくとも部分的に基づいて「汎用」符号位相原点基準値を確立することを含むことができる。そのような方法はまた、複数の符号位相値に対応する複数の符号化符号位相値を確立することを含むことができ、複数の符号化符号位相値の各々は「汎用」符号位相原点基準値に関連する。そのような方法はまた、複数の符号化符号位相値を表し符号位相原点基準値を特定する信号を含む少なくとも１つのメッセージを送信することを含むことができる。
【００２３】
いくつかの例示的な実装形態では、複数の符号位相値の少なくとも一部分は、１又は複数の、場合によっては異なる基準時間値に関連することができるが、「汎用」符号位相原点基準値は、これらの様々な基準時間値とは無関係であるように確立できる。限定ではなく例として、「汎用」符号位相原点基準値は、複数の符号位相値から決定できる平均値及び／又は他の同様の値として確立できる。
【００２４】
いくつかの例示的な実装形態では、複数の符号化符号位相値は、例えば、少なくとも１つの位置決定データメッセージ（Position Determination Data Message）（ＰＤＤＭ）を使用する無線通信ネットワーク内で、ロケーションサーバによって移動局に送信される捕捉支援情報（acquisition assistance information）を含むことができる。他の例示的な実装形態では、複数の符号化符号位相値は、移動局によってロケーションサーバに（例えば、少なくとも１つのＰＤＤＭなどの中で）送信される擬似距離測定情報を含むことができる。
【００２５】
いくつかの例示的な実装形態では、ＳＰＳは少なくとも１つのグローバル・ナビゲーション全地球的航法衛星システム（Global Navigation Satellite System）（ＧＮＳＳ）を含むことができ、メッセージは、ＧＮＳＳ、及び／又は符号化符号位相値に関連する少なくとも１つのＧＮＳＳリソースを特定することができる。限定ではなく例として、ＧＮＳＳリソースは、ＧＰＳリソース、ＳＢＡＳリソース、ＱＺＳＳリソース、ＧＬＯＮＡＳＳリソース、Ｇａｌｉｌｅｏリソース、Ｃｏｍｐａｓｓ／ＢｅｉＤｏｕリソース、及び／又は他の同様のリソースを含むことができる。限定ではなく例として、ＧＮＳＳリソースは、特定のＧＮＳＳ信号、特定のＧＮＳＳ信号帯域、及び／又は特定の宇宙ビークル（ＳＶ）に関連するものとして特定できる。
【００２６】
さらなる例として、無線通信ネットワーク内の受信デバイスにおいて使用するための別の例示的な方法を提供することができる。したがって、例えば、移動局によって送信される擬似距離測定情報信号を受信することが可能であるロケーションサーバ中、又はロケーションサーバによって送信される捕捉支援情報信号を受信することが可能である移動局中に、そのような方法を実装することができる。このことを念頭に置いて、方法は、１又は複数のＳＰＳに関連する複数の符号化符号位相値を表し「汎用」符号位相原点基準値を特定する信号を含む少なくとも１つのメッセージを受信することを含むことができる。本方法はまた、複数の符号化符号位相値と「汎用」符号位相原点基準値とに少なくとも部分的に基づいて、複数の符号化符号位相値に対応する複数の符号位相値を確立すること（例えば、再確立すること）を含むことができる。
【００２７】
いくつかの例示的な実装形態では、そのような方法は、「汎用」符号位相原点基準値と複数の符号化符号位相値のうちの対応する符号化符号位相値とを基準時間値から減算することによって複数の符号位相値の各々を確立することを含むことができる。いくつかの実装形態では、基準時間値は局所時間値を含むことができ、その局所時間値は「システム」時間（例えば、ＧＮＳＳ、ＣＤＭＡなど）と同期しても同期しなくてもよい。
【００２８】
いくつかの例示的な実装形態では、ＰＤＤＭ内の要素は、米国電気通信工業会（Telecommunications Industry Association）（ＴＩＡ）「ＩＳ−８０１−Ｂ」測位プロトコル規格及び／又は関連する第３世代パートナーシッププロジェクト２（Third-Generation Partnership Project2）（３ＧＰＰ２）測位プロトコル標準に準拠するおよび／あるいはこれらを用いて動作可能である要求要素及び／又は提供要素を含むことができる。
【００２９】
例えば、ＣＤＭＡ２０００及びハイレートパケットデータ（High Rate Packet Data）（ＨＲＰＤ）無線通信ネットワークにおいて使用するための測位プロトコルが開発され、規格化されている。１つの例示的な測位プロトコルは、しばしば、その規格化識別によって、ＴＩＡ公開規格では「ＩＳ−８０１」（又は３ＧＰＰ２公開規格では「Ｃ．Ｓ００２２」）と呼ばれる。現在、この例示的な測位プロトコルの２つのバージョンがある。第１のバージョンは、本明細書では単にＩＳ−８０１−１と呼ぶ、初期バージョンＩＳ−８０１バージョン１（又はＣ．Ｓ００２２−０バージョン３．０）である。第２のバージョンは、本明細書では単にＩＳ−８０１−Ａと呼ぶ、ＩＳ−８０１バージョンＡ（又はＣ．Ｓ００２２−Ａバージョン１．０）である。（例えば、おそらくＩＳ−８０１バージョンＢ（又はＣ．Ｓ００２２−Ｂバージョン１．０）、及び／又は他の同様の識別子として）ＴＩＡ及び３ＧＰＰ２によって何らかの方法で、何らかの形態のＩＳ−８０１−Ｂがすぐに確定され、識別されることが予想される。
【００３０】
本明細書のいくつかの態様によれば、例えば複数の異なるＧＮＳＳ及び／又は異なるタイプ／フォーマットのＧＮＳＳ符号位相関連情報をサポートすることができるＩＳ−８０１−Ｂ及び／又は他の測位プロトコルバージョンのような、より高度な（advanced）／ロバストな（robust）測位プロトコルバージョンを開発することが有益であることを認識されたい。さらに、いくつかのそのような潜在的に変動するタイプの符号位相関連情報を効率的な方法で要求及び／又は提供することができる通信チャネル／リンクを介して様々な使用可能なデバイスが位置決定通信セッションを開始及び確立できるように、必要に応じて、測位プロトコルバージョンネゴシエーションプロセス（positioning protocol version negotiation processes）を無線ネットワーク内で採用することができることも認識されたい。
【００３１】
限定ではなく例として、本明細書で提供されるいくつかの方法及び装置は、ＩＳ−８０１−Ｂだけでなく、レガシーバージョン及び／又は将来バージョンをもサポートする形で、１又は複数のトランスポートメッセージ中に提供できる１又は複数のＰＤＤＭを使用することができる。さらに、いくつかの方法及び装置は、例えば、ウルトラ・モバイル・ブロードバンド（Ultra Mobile Broadband）（ＵＭＢ）ネットワーク、ハイレートパケットデータ（High Rate Packet Data）（ＨＲＰＤ）ネットワーク、ＣＤＭＡ２０００ １Ｘネットワークなど、様々な無線通信ネットワークにおいて位置決定プロセスをサポートすることできる。
【００３２】
本明細書のいくつかの態様によれば、位置決定プロセスをサポートすることができる１又は複数のデバイスに実装できる様々な方法及び装置を提供することができる。限定ではなく例として、デバイスは、移動局、又は基地局、ロケーションサーバ（例えば、位置決定エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ ＳＭＬＣ（ＳＡＳ）、ＳＵＰＬロケーションプラットフォーム（ＳＬＰ）など）などの特定の装置を含むことができる。例えば、いくつかの実装形態では、移動局及び基地局は、ＣＤＭＡ無線通信ネットワーク、及び／又は他の適用可能なタイプの無線通信ネットワーク内で通信することが実効的に（operatively）可能である。
【００３３】
そのようなデバイスが位置決定プロセスに関連する位置決定通信セッションを利用できるように、方法及び装置をデバイスに実装することができる。位置決定通信セッションは、関与するデバイスの機能に応じて、ネゴシエートされた測位プロトコルバージョンを利用することができる。したがって、本方法及び装置は、ネットワーク内の様々な測位プロトコルバージョンに対応するために実装できる。例えば、本方法及び装置は、ネットワーク内の様々な測位プロトコルバージョン間の後方互換性及び／又は前方互換性に対応するかあるいはそれをサポートすることが可能である。
【００３４】
以下の詳細な説明では、請求する主題の完全な理解を与えるために多数の具体的な詳細を記載する。ただし、請求する主題は、これらの具体的な詳細なしに実施できることが当業者には理解されよう。他の例では、請求する主題を不明瞭にしないように、当業者には周知であろう方法及び装置については詳細に説明していない。
【００３５】
以下の詳細な説明のいくつかの部分は、特定の装置又は特殊目的コンピューティングデバイス又はプラットフォームのメモリ内に記憶された２値デジタル信号の演算のアルゴリズム又は記号表現に関して提示した。この特定の明細書のコンテキストでは、特定の装置などの用語は、プログラムソフトウェアからの命令に従って特定の関数（functions）を実行するようにプログラムされた汎用コンピュータを含む。アルゴリズムの説明又は記号表現は、信号処理又は関連技術において当業者が、それらの働きの要旨（substance）を他の当業者に伝達するために使用する技法の例である。アルゴリズムは、本明細書では、及び一般には、所望の結果をもたらす首尾一貫した（自己矛盾のない）（self-consistent）な一連の演算又は同様の信号処理であると考えられる。このコンテキストでは、演算又は処理は物理量の物理操作に関係する。必ずしもそうとは限らないが、一般に、そのような量は、格納、転送、結合、比較、又は他の操作が可能な、電気信号又は磁気信号の形態をとる。主に一般的な用法という理由で、そのような信号をビット、データ、値、要素、記号、文字、項、数、数字、情報などと呼ぶことは時々便利であることがわかっている。ただし、これら及び同様の用語はすべて、適切な物理量に関連すべきものであり、便利なラベルにすぎないことを理解されたい。別段に明記されていない限り、以下の説明から明らかなように、本明細書全体にわたって、「処理する（processing）」、「計算する（computing）」、「計算する（calculating）」、「決定する（determining）」、「確立する（establishing）」などの用語を利用する説明は、専用コンピュータ又は同様の専用電子コンピューティングデバイスなど、特定の装置の動作又はプロセスを指すことを認識されたい。したがって、本明細書のコンテキストで、専用コンピュータ又は同様の専用電子コンピューティングデバイスは、専用コンピュータ又は同様の専用電子コンピューティングデバイスのメモリ、レジスタ、又は他の情報記憶デバイス、送信デバイス、あるいは専用コンピュータ又は同様の専用電子コンピューティングデバイスのディスプレイデバイス内の電子的又は磁気的な物理量として一般に表される信号を操作又は変換することが
可能である。この特定の特許出願のコンテキストでは、「特定の装置（specific apparatus）」という用語は、プログラムソフトウェアからの命令に従って特定の関数（functions）を実行するようにプログラムされた汎用コンピュータを含むことができる。
【００３６】
次に図１に注目すると、図１は、デバイスが互いに通信し、位置決定プロセスを開始および／あるいはサポートすることができる、例示的な無線通信ネットワーク環境１００を示す概略ブロック図である。
【００３７】
この特定の例では、無線通信ネットワーク環境１００は、移動局（ＭＳ）１０２、１又は複数の基地局（ＢＳ）１０４、１又は複数の衛星測位システム（ＳＰＳ）１０６、ネットワーク１０８、及びロケーションサーバ１１０など、代表的なデバイスを含む。ＭＳ１０２は、１又は複数の無線通信リンクを介してＢＳ１０４と通信することができる。ＭＳ１０２、ＢＳ１０４、又はロケーションサーバ１１０のうちの１又は複数は、ＳＰＳ１０６の様々な送信リソースによって送信されるＳＰＳ信号を捕捉することができ、および／あるいはＳＰＳ１０６を介して利用可能な情報に関連するいくつかの位置決定プロセスをサポートすることが可能である。
【００３８】
図１中の代表的なデバイスは、無線通信リンク又は有線通信リンクのいずれかによって接続されるものとして示されているが、いくつかの例示的な実装形態では、少なくともいくつかのデバイスは、１又は複数の有線、ファイバ及び／又は無線通信リンクを介して互いに接続できることを理解されたい。
【００３９】
別段に明記されていない限り、本明細書で使用する、「ロケーションサーバ（location server）」という用語は、そのような位置決定プロセスを少なくとも部分的にサポートすることが可能である、１又は複数のデバイス及び／又は１又は複数の特定の装置を本明細書中で表すものである。したがって、図１に示した例では、ネットワーク１０８及び／又はＢＳ１０４を介してＭＳ１０２と通信することができる個別のデバイスとして示されているが、他の実装形態では、「ロケーションサーバ」は１又は複数の有線及び／又は１又は複数の無線通信リンクを使用して直接及び／又は間接的にＭＳ１０２と通信することができることを理解されたい。したがって、いくつかの例示的な実装形態では、ロケーションサーバは、１又は複数の無線送信機、受信機、トランシーバ、１又は複数の基地局、様々な有線及び／又は無線ネットワークリソース、特定の装置として使用可能である１又は複数のコンピューティングデバイス、及び／又は他の同様のコンピューティング及び／又は通信デバイスの形態をとる、および／あるいはそれらを効果的に（operatively）含むことができる。このことを念頭に置いて、基地局（ＢＳ）又はＢＳ１０４に例示的に言及する場合、そのようなＢＳ及び／又はＢＳ１０４は、本明細書で広義に定義される「ロケーションサーバ」を含むことができることを理解されたい。したがって、基地局（ＢＳ）及びロケーションサーバという用語は互換的に使用される。さらに、ＢＳ機能などを要求及び／又は提供するメッセージにおいて、そのような要求された情報及び／又は与えられた情報をロケーションサーバ機能などに関連することができることを理解されたい。図１に示すように、ＭＳ１０２は、ロケーションサーバと（へ／から）メッセージ１１２（例えば、ＰＤＤＭ）を共有（送信／受信）することができる。
【００４０】
ＭＳ１０２及び／又はＢＳ１０４は、例えば、無線ワイドエリアネットワーク（ＷＷＡＮ）、無線ローカルエリアネットワーク（ＷＬＡＮ）、無線パーソナルエリアネットワーク（ＷＰＡＮ）など、様々な無線通信ネットワークを使用することによって機能を提供することができる。「ネットワーク」及び「システム」という用語は、しばしば互換的に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどとすることができる。ＣＤＭＡネットワークは、ＣＤＭＡ２０００、ワイドバンドＣＤＭＡ（Ｗ−ＣＤＭＡ）などの１又は複数の無線アクセス技術（ＲＡＴ）を実装することができる。ＣＤＭＡ２０００は、ＩＳ−９５、ＩＳ−２０００、及びＩＳ−８５６規格を含む。ＴＤＭＡネットワークは、グローバル移動体通信システム（Global System for Communications）（ＧＳＭ（登録商標））、デジタル先進移動電話システム（Digital Advanced Phone System）（Ｄ−ＡＭＰＳ）、又は何らかの他のＲＡＴを実装することができる。ＧＳＭ及びＷ−ＣＤＭＡは、「第３世代パートナーシッププロジェクト」（３ＧＰＰ）という名称の組織からの文書に記載されている。ＣＤＭＡ２０００は、「第３世代パートナーシッププロジェクト２」（３ＧＰＰ２）という名称の組織からの文書に記載されている。３ＧＰＰ及び３ＧＰＰ２の文書は公に入手可能である。ＷＬＡＮは、ＩＥＥＥ８０２．１１ｘネットワークでよく、ＷＰＡＮは、Ｂｌｕｅｔｏｏｔｈ（登録商標）ネットワーク、ＩＥＥＥ８０２．１５ｘネットワーク、又は他の何らかのタイプのネットワークであってもよい。また、これらの技術を、ＷＷＡＮ、ＷＬＡＮ、及び／又はＷＰＡＮの任意の組合せのために使用することもできる。上述のように、ＵＭＢネットワーク、ＨＲＰＤネットワーク、ＣＤＭＡ２０００ １Ｘネットワーク、ＧＳＭ、ＬＴＥなどとともに使用するための技法を実装することができる。
【００４１】
ＳＰＳ１０６は、例えば、グローバル・ポジショニング・システム（ＧＰＳ）、近代化ＧＰＳ（modernized GPS）、Ｇａｌｉｌｅｏ、ＧＬＯＮＡＳＳ、静止衛星型衛星航法補強システム（Satellite Based Augmentation System）（ＳＢＡＳ）、準天頂衛星システム（Quasi-Zenith Satellite System）（ＱＺＳＳ）、Ｃｏｍｐａｓｓ／ＢｅｉＤｏｕ、ＮＡＶＳＴＡＲ、及び／又は他の同様のＧＮＳＳ、これらのシステムの組合せからの衛星を使用するシステム、又は将来開発されるＳＰＳのうちの１又は複数を含むことができ、それぞれ本明細書では概括的に「衛星測位システム（Satellite Positioning System）」（ＳＰＳ）と呼ばれる。
【００４２】
さらに、本明細書で説明する方法及び装置は、擬似衛星（pseudolites）、又は衛星と擬似衛星との組合せを利用する位置決定プロセスで使用できる。擬似衛星は、ＳＰＳ時刻と同期できる、ＰＮコード、又はＬ帯域（又は他の周波数）搬送信号上で変調された他のレンジングコード（例えば、ＧＰＳ又はＣＤＭＡセルラー信号に類似したもの）をブロードキャストする地上ベースの送信機を含むことができる。そのような送信機それぞれに、遠隔受信機による識別を可能にするように一意のＰＮコードを割り当てることができる。例えば、擬似衛星は、トンネルの中、鉱山内、建築物の中、都市ビルの谷間又は他の閉じられた区域内などの、軌道を回る衛星からの一部のＳＰＳ信号が利用できないかもしれない状況においてＳＰＳを補強するために使用できる。擬似衛星の別の実装形態はラジオビーコンとして知られている。本明細書で使用する「衛星（satellite）」という用語は、擬似衛星、擬似衛星の同等物、及び場合によっては他のものを含むものとする。本明細書で使用する「ＳＰＳ信号（SPS signals）」という用語は、擬似衛星又は擬似衛星の同等物からのＳＰＳ様の信号を含むものとする。
【００４３】
ＭＳ１０２は、いくつかの例示的な実装形態では、セルラー又は他の無線通信デバイス、パーソナル通信システム（ＰＣＳ）デバイス、パーソナルナビゲーションデバイス、車載ナビゲーションデバイス、トラッキングデバイス、個人情報管理ソフト（Personal Information Manager）（ＰＩＭ）、携帯情報端末（ＰＤＡ）、ラップトップ、又は無線通信を受信することが可能な他の適切なデバイスなどのデバイスを含むことができる。
【００４４】
本明細書で説明する方法は、適用例に応じて様々な手段によって実装できる。例えば、これらの方法は、ハードウェア、ファームウェア、及び／又はソフトウェアの様々な組合せで実装できる。ハードウェア実装の場合、１又は複数の処理ユニットは、１又は複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実行するように設計された他の電子ユニット、又はそれらの組合せの内に実装できる。
【００４５】
ファームウェア及び／又はハードウェア／ソフトウェア実装の場合、いくつかの方法は、本明細書で説明する機能を実行するモジュール（例えば、プロシージャー、関数など）を用いて実装できる。命令を有形に包含する（tangibly embodying）いずれの機械読み取り可能な媒体も、本明細書で説明する方法の実装において使用できる。例えば、ソフトウェアコードは、ＭＳ１０２及び／又はＢＳ１０４のメモリに記憶され、デバイスの処理ユニットによって実行される。メモリは、処理ユニット内及び／又は処理ユニットの外部に実装できる。本明細書で使用する「メモリ」という用語は、長期メモリ、短期メモリ、揮発性メモリ、不揮発性メモリ、又は他のメモリのいずれかのタイプを指し、メモリの特定のタイプ又はメモリの数、あるいはメモリが記憶される媒体のタイプに限定されない。
【００４６】
ハードウェア／ソフトウェアで実装する場合、方法又はその部分を実装する機能は、１又は複数の命令又はコードとしてコンピュータ読み取り可能な媒体に記憶、及び／又はコンピュータ読み取り可能な媒体を介して送信することができる。コンピュータ読み取り可能な媒体は製造品の形態をとることができる。コンピュータ読み取り可能な媒体は、コンピュータ記憶媒体、及び／又はある場所から別の場所へのコンピュータプログラムの転送を可能にするいかなる媒体をも含む通信媒体を含むことができる。記憶媒体は、コンピュータ又は同様のデバイスによってアクセスされる任意の利用可能な媒体とすることができる。限定ではなく例として、コンピュータ読み取り可能な媒体は、ＲＡＭ、ＲＯＭ、ＥＥＰＲＯＭ、ＣＤ−ＲＯＭ又は他の光学ディスク記憶装置、磁気ディスク記憶デバイス又は他の磁気記憶デバイス、あるいは命令又はデータ構造の形態で所望のプログラムコードを担持（carry）又は記憶するために使用でき、コンピュータによってアクセスできる任意の他の媒体を含むことができる。
【００４７】
本明細書で言及する「命令」は、１又は複数の論理的動作を表す表現に関する。例えば、命令は、１又は複数のデータオブジェクトに対して１又は複数の動作を実行するために機械によって解釈可能であることによって、「機械読み取り可能な（machine-readable）」ものになることができる。ただし、これは命令の例にすぎず、請求する主題はこの点について限定されない。別の例では、本明細書で言及する命令は、符号化コマンドを含むコマンドセットを有する処理ユニットによって実行可能である符号化コマンドに関する。そのような命令は、処理ユニットによって理解される機械語の形態で符号化できる。この場合も、これらは命令の例にすぎず、請求する主題はこの点について限定されない。
【００４８】
次に図２を参照すると、図２は、位置決定プロセスを開始および／あるいはサポートすることが可能である特定の装置２００のいくつかの例示的な特徴を示す概略ブロック図である。装置２００は、例えば、適用可能な場合に、本明細書で説明する例示的な技法の少なくとも一部分を実行あるいはサポートするために、ＭＳ１０２、ＢＳ１０４、ロケーションサーバ１１０、及び／又は他の同様のデバイス内に何らかの形態で実装できる。
【００４９】
装置２００は、例えば、１又は複数のコネクション２０６（例えば、バス、回線、ファイバ、リンクなど）と動作可能に接続できる、１又は複数の処理ユニット２０２と、メモリ２０４と、トランシーバ２１０（例えば、無線ネットワークインタフェース）と、（適用可能な場合に）ＳＰＳ受信機２４０とを含む。いくつかの例示的な実装形態では、装置２００の全部又は一部はチップセットなどの形態をとることができる。
【００５０】
処理ユニット２０２は、ハードウェアとソフトウェアの組合せを使用して実装できる。したがって、例えば、処理ユニット２０２は、デバイス２００の動作に関するデータ信号コンピューティング・プロシージャー又はプロセスの少なくとも一部分を実行するように構成可能な１又は複数の回路を表すことができる。限定ではなく例として、処理ユニット２０２は、１又は複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、又はそれらの任意の組合せを含むことができる。
【００５１】
メモリ２０４は任意のデータ記憶機構を表すことができる。例えば、メモリ２０４は１次メモリ及び／又は２次メモリを含むことができる。１次メモリは、例えば、ランダムアクセスメモリ、読出し専用メモリなどを含むことができる。この例では処理ユニット２０２とは別個なものとして示しているが、１次メモリの全部又は一部を処理ユニット２０２内に設ける、あるいは処理ユニット２０２と共設（co-located）／接続することができることを理解されたい。例えば、２次メモリは、１次メモリ、及び／又は１又は複数のデータ記憶デバイス又はシステム、例えば、ディスクドライブ、光ディスクドライブ、テープドライブ、固体メモリドライブなどと同じ又は同様のタイプのメモリを含むことができる。
【００５２】
いくつかの実装形態では、２次メモリは、コンピュータ読み取り可能な媒体２２０を動作可能に受容すること、あるいはそれに接続するように構成することができる。したがって、いくつかの例示的な実装形態では、本明細書で提示される方法及び／又は装置は、その上に記憶されるコンピュータ実行可能命令（computer implementable instructions）２０８を含むことができるコンピュータ読み取り可能な媒体２２０の全部又は一部の形態をとり、少なくとも１つの処理ユニット２０２によって実行されると、本明細書で説明するように例示的な動作の全部又は部分を実行することが実効的に可能である。
【００５３】
図２に示すように、メモリ２０４はまた、例えば、符号位相原点基準値２３０、様々な位置決定情報２３２、１又は複数の符号位相値２３４、１又は複数の符号化符号位相値２３６、１又は複数の異なる基準時間値２３８、様々な捕捉支援情報２４２、様々な擬似距離測定情報信号２４４、及び／又は他の同様の情報に関連するデータ信号の形態の命令及び／又は情報を含むことができる。
【００５４】
したがって、例えば、装置２００は、ＭＳ１０２に捕捉支援情報を提供することができるロケーションサーバ１１０（図１）中に実装できる。ここで、例えば、捕捉支援情報２４２の全部又は一部は、１又は複数のメッセージ１１２（図１参照）を介してＭＳ１０２に要求されるおよび／あるいはＭＳ１０２に提供される。捕捉支援情報２４２は、１又は複数のＳＰＳ／ＧＮＳＳリソースに関連することができる。捕捉支援情報２４２は、１又は複数の異なる基準時間値２３８に関連する（例えば、何らかの方法で測定あるいは関係する）符号位相値２３４を含むことができる。例えば、捕捉支援情報２４２は、ＳＰＳ、ＧＮＳＳ、ＣＤＭＡ、及び／又は他の同様の時間基準（time reference）に関連する符号位相値を含むことができる。図３〜図５に示すように、さらに以下でより詳細に説明するように、装置２００はまた、「汎用」符号位相原点基準値２３０を確立し、それに少なくとも部分的に基づいて、符号化符号位相値２３６をさらに確立することもできる。例えば、処理ユニット２０２は、「汎用」符号位相原点基準値２３０を確立するために符号位相値２３４にアクセス及び処理することができる信号処理ユニットなどを含むことができる。次いで、処理ユニット２０２は、「汎用」符号位相原点基準値２３０に少なくとも部分的に基づいて、符号位相値２３４に対応する符号化符号位相値２３６を確立することができる。本明細書で使用する「汎用」という用語は、確立される符号位相原点基準値２３０が、送信／受信され、対応する符号位相値に少なくとも部分的に基づくことがある１又は複数のメッセージ中に含むことができる全部又は少なくとも複数の符号化符号位相値に使用されることを暗示する。
【００５５】
装置２００は、ロケーションサーバから捕捉支援情報を要求／受信することができる移動局１０２（図１）中に実装できる。ここで、例えば、捕捉支援情報２４２の全部又は一部は、１又は複数のメッセージ１１２（図１参照）を介してＭＳ１０２によって受信される。例えば、符号化符号位相値２３６と「汎用」符号位相原点基準値２３０とが受信される。処理ユニット２０２は、「汎用」符号位相原点基準値２３０に少なくとも部分的に基づいて、符号化符号位相値２３６に対応する符号位相値２３４を「再確立（re-establish）」することができる。
【００５６】
例えば、装置２００をＭＳ１０２中に実装した場合、ＳＰＳ受信機２４０は、１又は複数のＳＰＳ／ＧＮＳＳリソースに関連するＳＰＳ信号を受信することができ、より詳細には、ロケーションサーバから受信する捕捉支援情報２４２に少なくとも部分的に基づいて、いくつかのＧＮＳＳ信号を受信及び捕捉しようと試みることができる。
【００５７】
他の例では、装置２００は、ロケーションサーバ１１０に擬似距離測定情報を提供することができる移動局１０２（図１）中に実装できる。ここで、例えば、擬似距離測定情報２４４の全部又は一部は、１又は複数のメッセージ１１２（図１参照）を介してロケーションサーバ１１０によって要求されるおよび／あるいはロケーションサーバ１１０に提供される。擬似距離測定情報２４４は、１又は複数のＳＰＳ／ＧＮＳＳリソースに関連することができ、例えば、ＳＰＳ受信機２４０によって確立される。擬似距離測定情報２４４は、１又は複数の異なる基準時間値２３８に関連する（例えば、何らかの方法で測定あるいは関係する）符号位相値２３４を含むことができる。例えば、擬似距離測定情報２４４は、ＳＰＳ、ＧＮＳＳ、ＣＤＭＡ、局所ＭＳ時間（local MS time）などの時間基準に関連する符号位相値を含むことができる。図３、６及び７に示すように、さらに以下でより詳細に説明するように、装置２００はまた、「汎用」符号位相原点基準値２３０を確立し、それに少なくとも部分的に基づいて、符号化符号位相値２３６をさらに確立することもできる。例えば、処理ユニット２０２は、「汎用」符号位相原点基準値２３０を確立するために符号位相値２３４にアクセス及び処理することができる信号処理ユニットなどを含むことができる。次いで、処理ユニット２０２は、「汎用」符号位相原点基準値２３０に少なくとも部分的に基づいて、符号位相値２３４に対応する符号化符号位相値２３６を確立することができる。
【００５８】
例示的な装置２００は、移動局から擬似距離測定情報を要求／受信することができるロケーションサーバ１１０（図１）中に実装できる。ここで、例えば、擬似距離測定情報２４４の全部又は一部は、１又は複数のメッセージ１１２（図１参照）を介してロケーションサーバ１１０に受信される。例えば、符号化符号位相値２３６と「汎用」符号位相原点基準値２３０とが受信される。処理ユニット２０２は、「汎用」符号位相原点基準値２３０に少なくとも部分的に基づいて、符号化符号位相値２３６に対応する符号位相値２３４を「再確立」することができる。周知のように、移動局からの擬似距離測定が、様々な位置決定プロセスをさらに支援するためにロケーションサーバによって使用されることがある。
【００５９】
トランシーバ２１０は、例えば、１又は複数の無線通信リンクを介して１又は複数の電磁信号を送信することが可能である送信機２１２と、１又は複数の無線通信リンクを介して送信される１又は複数の信号を受信するための受信機２１４とを含むことができる。いくつかの実装形態では、トランシーバ２１０はまた、例えば、ＢＳ１０４、ロケーションサーバ１１０及び／又は他の同様のデバイス内に実装された場合、有線送信及び／又は受信もサポートする。
【００６０】
次に図３に注目すると、図３は、位置決定プロセスをサポートするために、より詳細には、デバイスが符号位相関連情報信号を要求及び提供することをサポートするために無線通信ネットワーク環境１００中に実装される例示的な方法３００を示すフローチャートである。
【００６１】
ブロック３０２において、「汎用」符号位相原点基準値が、例えば、１又は複数のＳＰＳ／ＧＮＳＳリソースに関連する複数の符号位相値に基づいて確立されることがある。ブロック３０４において、複数の符号位相値に対応する複数の符号化符号位相値が、例えば、「汎用」符号位相原点基準値を使用して確立されることがある。
【００６２】
ブロック３０６において、１又は複数の符号化符号位相値と符号位相原点基準値とをもつ１又は複数のメッセージが、無線通信ネットワークを通して受信デバイスに送信されることがある。ここで、例えば、ロケーションサーバは、１又は複数のＰＤＤＭ（例えば、プロバイドGNSS捕捉支援PDDM（Provide GNSS Acquisition Assistance PDDM）など）を移動局に送信することができる。ここで、例えば、移動局は、１又は複数のＰＤＤＭ（例えば、プロバイドGNSS擬似距離測定PDDM（Provide GNSS Pseudorange Measurement PDDM）など）をロケーションサーバに送信することができる。
【００６３】
ブロック３０８において、受信デバイスは、１又は複数の受信された符号化符号位相値と「汎用」符号位相原点基準値とを使用して、適用可能なＳＰＳ／ＧＮＳＳリソースに関連する１又は複数の符号位相値を確立／再確立することができる。したがって、例えば、ロケーションサーバは、移動局から送信されたプロバイドGNSS擬似距離測定PDDMなどを受信することができる。次いで、ロケーションサーバは、「汎用」符号位相原点基準値と複数の符号化符号位相値のうちの対応する符号化符号位相値とを基準時間値から減算することによって、複数の符号位相値の各々を確立することができる。他の例では、移動局は、ロケーションサーバから送信されたプロバイドGNSS捕捉支援PDDMなどを受信することができる。次いで、移動局は、「汎用」符号位相原点基準値と複数の符号化符号位相値のうちの対応する符号化符号位相値とを基準時間値から減算することによって、複数の符号位相値の各々を確立することができる。
【００６４】
次に（以下の）表１を参照すると、表１は、例示的なプロバイドGNSS捕捉支援PDDM中に含まれることがあるいくつかの情報を示す。
【表１】
0005490787.tif 000002
【００６５】
表１に示すように、いくつかの例示的な実装形態によれば、GNSS捕捉支援データのパート番号を指定するためにパート番号が含まれることがある。また、パートの総数が、GNSS捕捉支援データが分割されるパートの総数を指定するために含まれることがある。グローバル情報レコードが（この例では随意に）含まれることがある。ここで、例えば、パート番号が‘１’に設定されている場合、ロケーションサーバは、このフィールドを含むことができるが、そうではなく、このフィールドがない場合、移動局は、この応答要素の前回のパート（previous part）を処理したときに使用したのと同じグローバル情報レコードを使用することができる。基準時間が（例えば、１ｍｓのスケールファクタの整数（０．．．６０４７９９９９９）として）含まれることがある。ここで、例えば、ロケーションサーバは、このフィールドを（ｔ ｍｏｄ ６０４，８００，０００）に設定できるが、ここで、ｔは、「時間基準ソース（time reference source）」によって指定される時間基準に基づく、応答要素のこのパートに対して有効である１ｍｓの単位の基準時間である。
【００６６】
「時間基準ソース」が、応答要素のこのパートにおいて捕捉支援がそれに対して有効である時間基準のタイプを示すために含まれることがある（この例では随意）。例として、いくつかの実装形態では、値‘０’は、ＣＤＭＡ時間基準を示すことができ、値‘１’は、ＧＰＳ時間基準を示すことができ、値‘２’値は、ＱＺＳＳ時間基準を示すことができ、値‘３’は、ＧＬＯＮＡＳＳ時間基準を示すことができ、値‘４’は、Ｇａｌｉｌｅｏ時間基準を示すことができ、値‘５’は、Ｃｏｍｐａｓｓ／ＢｅｉＤｏｕ時間基準を示すなどとすることができる。いくつかの実装形態では、時間基準ソース値は随意であるが、例えば、ない場合、「時間基準ソース」はＣＤＭＡ時間基準であると見なされることがある。
【００６７】
基準時間不確実性が、基準時間フィールドの片面不確実性（single-sided uncertainty）を示すために含まれることがある（この例では随意）。ここで、例えば、マイクロ秒単位の不確実性ｒは、ｒ＝０．００２２×（（（１＋０．１８）Ｋ）−１）で計算されるが、ここで、Ｋは、基準時間不確実性フィールドに０〜１２７の範囲で与えられる値である。したがって、例えば、値Ｋ＝１２７は、２．９６１秒よりも大きい任意の値ｒを意味する。
【００６８】
クロック情報が、例えば、ＧＰＳ時間のクロック訂正を指定するために含まれることがある（この例では随意）。クロックバイアスが、例えば、０．５μｓのスケールファクタの整数（−３１．．．４８０）として含まれることがある。ここで、例えば、ロケーションサーバは、このフィールドを推定移動局クロックバイアスに、０．５μｓの単位で、−１５．５μｓ〜＋２４０μｓの範囲で、設定することができる。クロックバイアスが、例えば、真のＧＰＳ時間から移動局時間基準を引いたものとして計算されることがある。ここで、ＧＰＳフィックスの一部として、計算は、ローカルクロックによって指定された時間と真のＧＰＳ時間との間の差異（discrepancy）の推定値を生じることに留意されたい。したがって、このパラメータは、そのような差異を報告することができる。この差異の原因の１つは、送信基地局から移動局への伝搬遅延であろうが、この計算ではそれは正のものとなる。したがって、このパラメータに可能な範囲は対称ではない。さらに、「符号位相ウィンドウ（code phase window）」が、推定移動局ロケーションの不確実性をなくすために衛星情報レコードの一部として含まれることがあることに留意されたい。したがって、クロック情報は、移動局時間基準の不確実性に関する追加情報提供することができる。また、クロックバイアス誤差情報の標準偏差が、クロックバイアス誤差の推定標準偏差を特定するために含まれることがある。
【００６９】
表１に示すように、基準基地局識別子が、ＣＤＭＡ２００ １Ｘ、ＨＲＰＤ、ＵＭＢ基地局とともに使用するように含まれることがある。例えば、ＣＤＭＡ １Ｘ又はＨＲＰＤ基地局の場合、パイロットＰＮ系列オフセットが含まれることがあり、０オフセットパイロットＰＮ系列に対して、提供された「クロックバイアス（Clock bias）」がそれに対して有効である基地局のパイロットのＰＮ系列オフセットに、６４ＰＮチップの単位で、０ＰＮチップ〜３２，７０４ＰＮチップの範囲で、設定されることがある。例えば、ＵＭＢ基地局の場合、パイロットＩＤが含まれ、提供された「クロックバイアス」がそれに対して有効である基地局のパイロットＩＤに設定されることがある。
【００７０】
表１に示すように、（「汎用」）符号位相原点基準値が含まれることがあり、この例では、整数（例えば、０〜１２７の間）として指定されることがある。この例では、符号位相原点基準値は、スケールファクタ（例えば、１ｍｓ）を有することができる。したがって、限定ではなく例として、この例では、ロケーションサーバは、０〜１２７ｍｓの範囲で、このフィールドを、応答要素のこのパート中に提供されるＧＮＳＳ情報レコード中に含まれる符号位相値の原点に、設定することができる。したがって、いくつかの実装形態では、受信移動局は、ｍｓ単位の符号位相原点の値をｍｓ単位の提供された基準時間フィールドから減算することによって、提供された符号位相値に対してｍｓ単位の基準エポック（epoch）を確立することができる。
【００７１】
表１に示すように、ＧＮＳＳ情報レコードが、１〜ＧＮＳＳの最大数（ｍａｘＮＵＭ＿ＧＮＳＳ）として含まれることがある。この例では、このフィールドは、それに対する捕捉支援パラメータがこの応答要素中に含まれるＧＮＳＳを特定することができる。いくつかの例示的なＧＮＳＳ識別子値のＳＰＳ／ＧＮＳＳリソースへのマッピングを（以下の）表２に示す。
【表２】
0005490787.tif 000003
【００７２】
いくつかの実装形態では、ＧＮＳＳ信号識別子要素が含まれることがあり、それに対して捕捉支援情報信号が提供される「ＧＮＳＳ識別子」によって特定されるＧＮＳＳのＧＮＳＳ信号を特定するために使用されることがある。ＧＮＳＳ信号識別子のいくつかの例示的なＧＮＳＳ信号への例示的なマッピングを表２に示す。この要素は、いくつかの実装形態では随意である。したがって、例えば、ない場合、ロケーションサーバ又は他の同様のデバイスは、例えば、表２に従って整数値‘１’に対応するＧＮＳＳ信号を選択することができる。
【００７３】
表１に示すように、衛星情報レコードが、衛星（例えば、ＳＶ）の最大数（ｍａｘＮＵＭ＿ＳＡＴ）まで指定するために含まれることがある。ＧＮＳＳ衛星ＩＤ番号が含まれることがあり、例えば、（以下の）表３で指定するように衛星情報がそれに対して有効であるＧＮＳＳ識別子によって特定されるＧＮＳＳの衛星ＩＤ番号の値に設定されることがある。
【表３】
0005490787.tif 000004
【００７４】
表１に示すように、（符号化）符号位相値が含まれることがある。限定ではなく例として、「符号化（encoded）」符号位相値が、２−１０ｍｓのスケールファクタの整数（例えば、−６５５３６〜６５５３５の間）として指定されることがある。ここで、例えば、ロケーションサーバは、このフィールドを符号位相原点によって示される時間に対して観測可能な予測される符号位相に、２−１０ｍｓの単位で、ＧＮＳＳ信号の公称（nominal）チッピングレートでスケーリングされた−６４〜（６４−２−１０）ｍｓの範囲で、設定することができる。したがって、例えば、次いで、受信移動局は、チップ中で対応する（予想される）符号位相を、次のように確立する（再確立する）ことができる；  
（‘基準時間’−‘符号位相原点’−‘符号位相’）×１０−３×（支援信号の公称チッピングレート）。  
また、符号位相ウィンドウが含まれることもあり、例えば、（以下の）表４に示すように両側対称符号位相探索ウィンドウの総サイズを表すように設定されることがある。
【表４】
0005490787.tif 000005
【００７５】
また、０次ドップラーが含まれることもあり、例えば、０次ドップラーの値に０．５ｍ／ｓの単位で、−１０２４ｍ／ｓ〜＋１０２３．５ｍ／ｓの範囲で、設定されることがある。ここで、例えば、ｍ／ｓとＨｚの間の変換は、支援信号（assisted signal）の公称波長を使用して行われることがある。
【００７６】
また、１次ドップラーが含まれ（この例では随意）、０．０００２ｍ／ｓ２のスケールファクタを有することがある。ここで、例えば、ロケーションサーバは、このフィールドを１次ドップラーの値に０．０００２ｍ／ｓ２の単位で、−０．２０４８ｍ／ｓ２〜０．２０４７ｍ／ｓ２の範囲で、設定することができる。ここでも、例えば、ｍ／ｓ２とＨｚ／ｓの間の変換は、支援信号の公称波長を使用して行われることがある。
【００７７】
ドップラー探索ウィンドウが含まれ（この例では随意）、例えば、（以下の）表５に示すように両側対称ドップラー探索ウィンドウの総サイズを表すように設定されることがある。
【表５】
0005490787.tif 000006
【００７８】
表１に示すように、例えば、衛星（ＳＶ）の方位角（Azimuth）及び仰角（elevation angle）を特定するために、方位角−仰角（ＡＺ−Ｅｌ）情報が含まれることがある。ここで、例えば、ロケーションサーバは、衛星の方位角を０．７０３１２５度の単位で、０〜３５９．２９６８７５度の範囲で、特定できるが、ここで、０度は真北であり、角度は東に向かって増加する。ここで、例えば、ロケーションサーバは、衛星の仰角を０．７０３１２５度の単位で、０〜８９．２９６８７５度の範囲で、特定することができる。
【００７９】
「ＧＮＳＳ識別子」によって特定されるＧＮＳＳのＧＮＳＳ信号を特定するために、衛星健康状態インジケータ（satellite health indicator）が含まれることがある（この例では随意）。このフィールドは、例えば、８ビットを含むことができ、ＬＳＢの各々は、例えば、例示的な表２で指定されている１つのＧＮＳＳ信号を表す。この「ＧＮＳＳ衛星ＩＤ番号」に対応する衛星信号が位置計算に使用可能であった場合、ロケーションサーバは、対応するビットを‘１’に設定し、そうでない場合、対応するビットが‘０’に設定される。信号が表２中に定義されていないビットは、‘０’に設定される。
【００８０】
例えば、８ビットを有することができるＧＮＳＳ信号利用可能フィールドが含まれることがあり（この例では随意）、ＬＳＢの各々は、表２で指定されている「ＧＮＳＳ識別子」によって特定されるＧＮＳＳの１つの信号を表す。衛星が、このフィールドのビットによって表されるレンジング信号を送信する場合、ロケーションサーバは、対応するビットを‘１’に設定し、そうでない場合、本ビットが‘０’に設定される。
【００８１】
表１に示すように、様々な随意のＧＮＳＳ固有のフィールドが含まれることがある。例えば、「ＧＮＳＳ識別子」フィールドが‘１’（例えば、ＧＰＳ）に設定された場合、「ＧＮＳＳ＿ｉｄｅｎｔｉｆｉｅｒ＿１」が含まれることがある。例えば、（以下の）表６に示すように、衛星によってＧＰＳ Ｌ２周波数に対して使用される変調のタイプを示すために、Ｌ２Ｃモードが含まれることがある。
【表６】
0005490787.tif 000007
【００８２】
例えば、「ＧＮＳＳ識別子」フィールドが‘４’（例えば、ＧＬＯＮＡＳＳ）に設定された場合、「ＧＮＳＳ＿ｉｄｅｎｔｉｆｉｅｒ＿４」が含まれることがある。「ＧＮＳＳ ＩＤ番号」フィールドによって示される衛星のＧＬＯＮＡＳＳキャリア周波数番号を示すために、チャネル番号が含まれることがある。
【００８３】
次に（以下の）表７を参照すると、表７は、例示的なプロバイドGNSS擬似距離測定PDDM中に含まれることがあるいくつかの情報を示す。
【表７】
0005490787.tif 000008
【００８４】
表７に示すように、いくつかの例示的な実装形態によれば、GNSS擬似距離測定PDDMデータのパート番号を指定するために、パート番号が含まれることがある。また、パートの総数が、GNSS擬似距離測定PDDMデータが分割されるパートの総数を指定するために含まれることがある。
【００８５】
グローバル情報レコードが含まれることがある。ここで、例えば、パート番号が‘１’に設定されている場合、移動局はこのフィールドを含むことができるが、そうではなく、このフィールドがない場合、移動局は、この応答要素の前回のパートを処理したときに使用したのと同じグローバル情報レコードを使用することができる。基準時間が（例えば、１ｍｓのスケールファクタの整数（０．．．１４３９９９９９）として）含まれることがある。ここで、例えば、移動局は、このフィールドを（ｔ ｍｏｄ １４，４００，０００）に設定できるが、ここで、ｔは、「時間基準ソース」によって指定される時間基準に基づく１ｍｓの単位の基準時間である。
【００８６】
「時間基準ソース」が、この応答要素パートに含まれる測定を得るのに使用された時間基準のタイプを示すために含まれることがある。例として、いくつかの実装形態では、値‘０’は、ＣＤＭＡ時間基準を示すことができ、値‘１’は、ＧＰＳ時間基準を示すことができ、値‘２’値は、ＱＺＳＳ時間基準を示すことができ、値‘３’は、ＧＬＯＮＡＳＳ時間基準を示すことができ、値‘４’は、Ｇａｌｉｌｅｏ時間基準を示すことができ、値‘５’は、Ｃｏｍｐａｓｓ／ＢｅｉＤｏｕ時間基準を示すなどとすることができる。いくつかの実装形態では、時間基準ソース値は随意であるが、例えば、ない場合、「時間基準ソース」はＣＤＭＡ時間基準であると見なされることがある。
【００８７】
基準時間不確実性が、基準時間フィールドの片面不確実性を示すために含まれることがある（この例では随意）。ここで、例えば、マイクロ秒単位の不確実性ｒは、ｒ＝０．００２２×（（（１＋０．１８）Ｋ）−１）で計算されるが、ここで、Ｋは、基準時間不確実性フィールドに０〜１２７の範囲で与えられる値である。したがって、例えば、値Ｋ＝１２７は、２．９６１秒よりも大きい任意の値ｒを意味する。
【００８８】
表７に示すように、（「汎用」）符号位相原点基準値が含まれることがあり、この例では、整数（例えば、０〜１２７の間）として指定されることがある。この例では、符号位相原点基準値は、１ｍｓのスケールファクタを有することができる。したがって、いくつかの実装形態では、受信ロケーションサーバは、ｍｓ単位の符号位相原点の値をｍｓ単位の提供された基準時間フィールドから減算することによって、提供された符号位相測定値に対してｍｓ単位の基準エポックを確立することができる。
【００８９】
表７に示すように、１〜ＧＮＳＳの最大数（ｍａｘＮＵＭ＿ＧＮＳＳ）として擬似距離情報レコードが含まれることがある。この例では、このフィールドは、この応答要素中に擬似距離測定値が含まれるＧＮＳＳを特定することができる。いくつかの例示的なＧＮＳＳ識別子値のＳＰＳ／ＧＮＳＳリソースへのマッピングを表２に示す。
【００９０】
１〜信号の最大数（ｍａｘＮＵＭ＿ＳＩＧ）として衛星測定レコードが含まれることがある。この応答要素中に擬似距離測定値が含まれる「ＧＮＳＳ識別子」によって特定されるＧＮＳＳのＧＮＳＳ信号を特定するために、ＧＮＳＳ信号識別子が含まれることがある。「ＧＮＳＳ識別子」によって特定されるＧＮＳＳの特定のＧＮＳＳ信号への「ＧＮＳＳ信号識別子」の例示的なマッピングを表２に示す。
【００９１】
１〜衛星（ＳＶ）の最大数（ｍａｘＮＵＭ＿ＳＡＴ）として測定パラメータが含まれることがある。ＧＮＳＳ衛星ＩＤ番号が含まれ、例えば、表３に示すように、擬似距離測定値が有効である「ＧＮＳＳ識別子」によって特定されるＧＮＳＳの衛星ＩＤ番号の値に設定されることがある。チャネル番号が含まれ（この例では随意）、「ＧＮＳＳ衛星ＩＤ番号」によって示される衛星のＧＬＯＮＡＳＳキャリア周波数番号を示すために設定されることがある。このフィールドは随意であり、「ＧＮＳＳ識別子」フィールドが‘４’（ＧＬＯＮＡＳＳ）に設定された場合に存在することができる。
【００９２】
（符号化）符号位相値が含まれ、例えば、２−２１ｍｓのスケールファクタの整数（例えば、−１３４２１７７２８〜１３４２１７７２７の間）によって表されることがある。ここで、例えば、移動局は、このフィールドを（「汎用」）符号位相原点から測定された符号位相に−６４〜（６４−２−２１）ｍｓの範囲で設定することができる。例えば、受信ロケーションサーバは、チップ中で対応する符号位相を（「基準時間」−「符号位相原点」−「符号位相」）×１０−３×測定信号の公称チッピングレートで確立する（再確立する）ことができる。
【００９３】
表７に示すように、擬似距離測定誤差インジケータが含まれ（この例では随意）、この「擬似距離情報」レコードに含まれる符号位相測定パラメータに影響を及ぼしている誤差のタイプを示すように設定されることがある。ここで、例えば、このフィールドは、７ビットを含むことができ、ＬＳＢの各々は、１つの誤差タイプを表す。そのようなビットの例示的なマッピングを（下記の）表８に示す。ここで、例えば、ある誤差タイプが発生している場合、移動局は、対応するビットを‘１’に設定し、そうでない場合、移動局は、対応するビットを‘０’に設定する。
【表８】
0005490787.tif 000009
【００９４】
表７に示すように、擬似距離ＲＭＳ誤差が含まれ、適用可能な衛星の推定擬似距離ＲＭＳ誤差に設定されることがある。ここで、例えば、「浮動小数点」表現が採用されることがあり、例えば、（下記の）表９に示す例に示すように、４つの最上位ビットは、べき指数を構成し、２つの最下位ビットは、仮数を構成する。
【表９】
0005490787.tif 000010
【００９５】
表７に示すように、衛星擬似ドップラー整数が含まれ、測定された衛星擬似ドップラーの値に、例えば、０．０４ｍ／ｓの単位で、−１３１０．７２ｍ／ｓ〜＋１３１０．６８ｍ／ｓの範囲で、設定されることがある。
【００９６】
衛星擬似ドップラーＲＭＳ誤差が含まれ（この例では随意）、適用可能な衛星の推定擬似ドップラーＲＭＳ誤差に設定されることがある。ここで、例えば、「浮動小数点」表現が採用されることがあり、例えば、（下記の）表１０に示すように、４つの最上位ビットは、べき指数を構成し、２つの最下位ビットは、仮数を構成する。
【表１０】
0005490787.tif 000011
【００９７】
表７に示すように、衛星Ｃ／Ｎ０が含まれ、衛星Ｃ／Ｎ０の値に、例えば、１ｄＢ−Ｈｚの単位で、０ｄＢ−Ｈｚ〜６３ｄＢ−Ｈｚの範囲で、設定されることがある。ここで、例えば、衛星Ｃ／Ｎ０の値が、移動局内のアンテナコネクタなどに参照されることがある。アクティブアンテナが採用される（例えば、内蔵増幅器又はフィルタあるいは両方をもつものである）場合、Ｃ／Ｎ０は、いかなる増幅器又はフィルタより前にアンテナポートに参照される。
【００９８】
推定擬似距離フォールスアラーム確率が含まれ（この例では随意）、推定フォールスアラーム確率、例えば、この衛星レコード中に戻されたパラメータが真のＳＰＳの測定からよりも雑音の測定から生じた確率を表すように設定されることがある。（下記の）表１１は、推定擬似距離フォールスアラーム確率を設定することのための例示的な実装形態を示す。
【表１１】
0005490787.tif 000012
【００９９】
表７に示すように、擬似距離フォールスアラーム範囲が含まれ（この例では随意）、例えば、（下記の）表１２に従って、それにわたってフォールスアラームが発生してきた両側符号位相探索ウィンドウのサイズ、例えば、衛星符号位相の範囲を表すように設定されることがある。
【表１２】
0005490787.tif 000013
【０１００】
表７に示すように、搬送波位相測定情報が含まれることがあり、搬送波位相測定情報は、測定された累積デルタ範囲に設定される累積デルタ範囲を、例えば、２−１０メートルの単位で、０〜（３２，７６８−２−１０）メートルの範囲、で含むことができる。搬送波位相品質インジケータが含まれ、搬送波位相測定の品質に設定されることがある。ここで、例えば、ＬＳＢは、データ極性を示すことができる。したがって、適用可能な衛星からのデータが反転されて受信された場合、移動局は、このビットフィールドのＬＳＢを‘１’に設定することができる。逆に、データが反転されていない場合、移動局は、ＬＳＢを‘０’に設定することができる。ＭＳＢは、搬送波位相の蓄積（accumulation）が以前の測定報告以来（例えば、サイクルスリップなしに）連続していたかどうかを示すことができる。搬送波位相蓄積が連続していた場合、移動局は、ＭＳＢを‘１’に設定し、そうでない場合、移動局は、ＭＳＢを‘０’に設定する。
【０１０１】
次に図４に注目すると、図４は、捕捉支援情報信号中に符号化符号位相値を確立するために実装されることがある符号位相情報の例示的な符号化を示す例示的なタイムライン・ダイアグラムである。ここで、例えば、タイムライン４００が、１ｍｓの分解能４０２で示されている。より詳細には、この例では、基準時間は、１ｍｓの倍数単位で測定される１０，００１ｍｓである。ピリオド９９１７及びピリオド９９３９が、符号位相原点基準値に少なくとも部分的に基づいて、複数の符号位相値と符号化符号位相値とのうちの２つの間の関係を示すために拡大された形（expanded form）で示されている。
【０１０２】
ここで、例えば、移動局に提供すべき捕捉支援情報中の複数の符号位相値に少なくとも部分的に基づいて、ロケーションサーバは、符号位相原点基準値４０４を確立することができる。ここで、符号位相原点基準値４０４が、８２ｍｓ（例えば、１ｍｓの倍数単位で測定される１０，００１−９９１９ｍｓ）に設定されている。ピリオド９９１７に示すように、ＳＶｉの符号位相値が、（例えば、２−１０ｍｓの倍数及び（１．６５／２−１０）＝１６９０の丸め（rounding）を使用して）１．６５ｍｓの符号化符号位相値４０６によって表されることがある。ピリオド９９３９に示すように、ＳＶｊの符号位相値が、（例えば、２−１０ｍｓの倍数及び（−２０．７４ｍｓ／２−１０）＝−２１，２３８の丸めを使用して）−２０．７４ｍｓの符号化符号位相値４０８によって表されることがある。次いで、そのような符号化符号位相値と符号位相原点基準値とが、移動局に送信されることがある。
【０１０３】
次いで、移動局は、次のように及び図４に示すように、符号位相値を確立する（再確立する）（例えば、予想されるＳＶｉ及びＳＶｊ符号位相値（範囲）を計算する）ことができる。ＳＶｉの場合、推定範囲４１２が、‘基準時間’−‘符号位相原点基準値’−‘ＳＶｉの（符号化）符号位相値’×２−１０＝１０，００１−８２−１６９０×２−１０＝９９１７．３４９６ｍｓとして確立されることがある。ＳＶｊの場合、推定範囲４１０が、‘基準時間’−‘符号位相原点基準値’−‘ＳＶｊの（符号化）符号位相値’×２−１０＝１０，００１−８２−（−２１２３８×２−１０）＝９９３９．７４０２ｍｓとして確立されることがある。
【０１０４】
次に図５を参照すると、図５は、擬似距離測定情報信号中に符号化符号位相値を確立するために実装されることがある符号位相情報の例示的な符号化を示す例示的なタイムライン・ダイアグラムである。ここで、例えば、タイムライン５００が、１ｍｓの分解能５０２で示されている。より詳細には、この例では、移動局の場合、基準時間５１４（例えば、ＭＳ測定エポック）は、１ｍｓの倍数単位で測定される２１６ｍｓである。ピリオド１３７及びピリオド１４５が、符号位相原点基準値に少なくとも部分的に基づいて、複数の符号位相値と符号化符号位相値とのうちの２つの間の関係を示すために拡大された形で示されている。
【０１０５】
ここで、例えば、ロケーションサーバに提供すべき擬似距離測定情報中の複数の符号位相値に少なくとも部分的に基づいて、移動局は、符号位相原点基準値５０４を確立することができる。図示の例では、符号位相原点基準値５０４が、７６ｍｓ（例えば、１ｍｓの倍数単位で測定される２１６−１４０ｍｓ）に設定されている。
【０１０６】
ピリオド１３７に示すように、ＳＶＮの符号位相値は、観測されたＳＶＮ時間のｔｓｖＮ＝１３７．８０３ｍｓに基づくことがあり、対応する符号化符号位相値５０６の２．１９７ｍｓ又はラウンド｛２．１９７／２−２１｝＝４６０７４４３を有する。ピリオド１４５に示すように、ＳＶ１の符号位相値は、観測されたＳＶ１時間のｔｓｖ１＝１４５．３１２ｍｓ及び対応する符号化符号位相値５０８の−５．３１２ｍｓ又はラウンド｛−５．３１２／２−２１｝＝−１１１４００７１に基づくことがある。次いで、そのような符号化符号位相値と符号位相原点基準値とが、ロケーションサーバに送信されることがある。
【０１０７】
次いで、ロケーションサーバは、符号化符号位相値と符号位相原点基準値とに少なくとも部分的に基づいて、符号位相値を確立する（再確立する）ことができる。例えば、観測されたｔｓｖ１が、‘基準時間’−‘符号位相原点基準値’−‘（符号化）符号位相値’＝２１６−７６−（−１１１４００７１×２−２１）＝１４５．３１１９９ｍｓとして「再確立される」ことがある。例えば、観測されたｔｓｖＮが、‘基準時間’−‘符号位相原点基準値’−‘（符号化）符号位相値’＝２１６−７６−（４６０７４４３×２−２１）＝１３７．８０２９９ｍｓとして「再確立される」ことがある。
【０１０８】
現在例示的な特徴と考えられていることを例示し説明したが、請求する主題を逸脱することなく、他の様々な変形を行うことができ、均等物を代用することができることが、当業者には理解されよう。さらに、本明細書に記載の中心概念から逸脱することなく、請求する主題の教示に特定の状況を適合させるために多くの変更を行うことができる。
【０１０９】
したがって、請求する主題は、開示された特定の例に限定されず、そのような請求する主題は、添付の特許請求の範囲の範囲内に入るすべての態様、及びその均等物をも含むものとする。 
以下に、本願出願の当初の特許請求の範囲に記載された各請求項に対応する発明を付記する。 
［１］無線通信ネットワークにおいて使用するための方法であって、 
少なくとも１つの衛星測位システム（ＳＰＳ）に関連する複数の符号位相値を表す位置決定情報信号に少なくとも部分的に基づいて符号位相原点基準値を確立することと、 
前記複数の符号位相値に対応する複数の符号化符号位相値（該複数の符号化符号位相値の各々は前記符号位相原点基準値に関連する）を確立することと、 
前記複数の符号化符号位相値を表し前記符号位相原点基準値を特定する信号を含む少なくとも１つのメッセージを送信することを含む方法。 
［２］前記複数の符号位相値の少なくとも一部分は、異なる基準時間値に関連する［１］の方法。 
［３］前記符号位相原点基準値は、前記異なる基準時間値とは無関係である［２］の方法。 
［４］前記符号位相原点基準値は、前記複数の符号位相値の平均を含む［１］の方法。 
［５］前記複数の符号化符号位相値は、捕捉支援情報を含み、 
前記少なくとも１つのメッセージは、ロケーションサーバによって移動局に送信される［１］の方法。 
［６］前記複数の符号化符号位相値は、擬似距離測定情報を含み、 
前記少なくとも１つのメッセージは、移動局によってロケーションサーバに送信される［１］の方法。 
［７］前記少なくとも１つのメッセージは、少なくとも１つの位置決定データメッセージ（ＰＤＤＭ）を含む［１］の方法。 
［８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［１］の方法。 
［９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース及び／又はＣｏｍｐａｓｓ／ＢｅｉＤｏｕリソースのうちの少なくとも１つを含む［８］の方法。 
［１０］前記ＧＮＳＳリソースは、ＧＮＳＳ信号、ＧＮＳＳ信号帯域及び／又は宇宙ビークル（ＳＶ）のうちの少なくとも１つに関連する［８］の方法。 
［１１］無線通信ネットワークにおいて使用するための方法であって、 
１又は複数の衛星測位システム（ＳＰＳ）に関連する複数の符号化符号位相値を表し符号位相原点基準値を特定する信号を含む少なくとも１つのメッセージを受信することと、 
前記複数の符号化符号位相値と前記符号位相原点基準値とに少なくとも部分的に基づいて、前記複数の符号化符号位相値に対応する複数の符号位相値を確立することを含む方法。 
［１２］前記少なくとも１つのメッセージは、基準時間値を特定する信号を含み、 
前記複数の符号位相値を確立することは、前記複数の符号化符号位相値と、前記符号位相原点基準値と、前記基準時間値とに少なくとも部分的に基づいて、前記複数の符号位相値を確立することを含む［１１］の方法。 
［１３］前記複数の符号位相値の各々は、前記符号位相原点基準値と前記複数の符号化符号位相値のうちの対応する符号化符号位相値とを基準時間値から減算することによって、確立される［１１］の方法。 
［１４］前記基準時間値は、局所時間値を含む［１３］の方法。 
［１５］前記少なくとも１つのメッセージは、ロケーションサーバによって移動局に送信される捕捉支援情報を含む［１１］の方法。 
［１６］前記少なくとも１つのメッセージは、移動局によってロケーションサーバに送信される擬似距離測定情報を含む［１１］の方法。 
［１７］前記少なくとも１つのメッセージは、少なくとも１つの位置決定データメッセージ（ＰＤＤＭ）を含む［１１］の方法。 
［１８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［１１］の方法。 
［１９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［１８］の方法。 
［２０］前記ＧＮＳＳリソースは、ＧＮＳＳ信号、ＧＮＳＳ信号帯域、及び／又は宇宙ビークル（ＳＶ）のうちの少なくとも１つに関連する［１８］の方法。 
［２１］無線通信ネットワークにおいて使用するための特定の装置であって、 
少なくとも１つの衛星測位システム（ＳＰＳ）に関連する複数の符号位相値を表す位置決定情報信号にアクセスするための手段と、 
前記位置決定情報信号に少なくとも部分的に基づいて符号位相原点基準値を確立するための手段と、 
前記複数の符号位相値に対応する複数の符号化符号位相値（該複数の符号化符号位相値の各々は前記符号位相原点基準値に関連する）を確立するための手段と、 
前記複数の符号化符号位相値を表し前記符号位相原点基準値を特定する信号を含む少なくとも１つのメッセージを送信するための手段とを含む特定の装置。 
［２２］前記複数の符号位相値の少なくとも一部分は、異なる基準時間値に関連する［２１］の特定の装置。 
［２３］前記符号位相原点基準値は、前記異なる基準時間値とは無関係である［２２］の特定の装置。 
［２４］前記符号位相原点基準値は、前記複数の符号位相値の平均を含む［２１］の特定の装置。 
［２５］前記複数の符号化符号位相値は、捕捉支援情報を含み、 
前記少なくとも１つのメッセージは、ロケーションサーバによって移動局に送信される［２１］の特定の装置。 
［２６］前記複数の符号化符号位相値は、擬似距離測定情報を含み、 
前記少なくとも１つのメッセージは、移動局によってロケーションサーバに送信される［２１］の特定の装置。 
［２７］前記少なくとも１つのメッセージは、少なくとも１つの位置決定データメッセージ（ＰＤＤＭ）を含む［２１］の特定の装置。 
［２８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［２１］の特定の装置。 
［２９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［２８］の特定の装置。 
［３０］前記ＧＮＳＳリソースは、ＧＮＳＳ信号、ＧＮＳＳ信号帯域、及び／又は宇宙ビークル（ＳＶ）のうちの少なくとも１つに関連する、［２８］の特定の装置。 
［３１］無線通信ネットワークにおいて使用するための特定の装置であって、 
１又は複数の衛星測位システム（ＳＰＳ）に関連する複数の符号化符号位相値を表し符号位相原点基準値を特定する信号を含む少なくとも１つのメッセージを受信するための手段と、 
前記複数の符号化符号位相値と前記符号位相原点基準値とに少なくとも部分的に基づいて、前記複数の符号化符号位相値に対応する複数の符号位相値を確立するための手段とを含む特定の装置。 
［３２］前記少なくとも１つのメッセージは、基準時間値を特定する信号を含み、 
前記複数の符号位相値を確立する前記手段は、前記複数の符号化符号位相値と、前記符号位相原点基準値と、前記基準時間値とに少なくとも部分的に基づいて、前記複数の符号位相値を確立するための手段を含む［３１］の特定の装置。 
［３３］前記複数の符号位相値の各々は、前記符号位相原点基準値と前記複数の符号化符号位相値のうちの対応する符号化符号位相値とを基準時間値から減算することによって、確立される［３１］の特定の装置。 
［３４］前記基準時間値は、局所時間値を含む［３３］の特定の装置。 
［３５］前記少なくとも１つのメッセージは、ロケーションサーバによって移動局に送信される捕捉支援情報を含む［３１］の特定の装置。 
［３６］前記少なくとも１つのメッセージは、移動局によってロケーションサーバに送信される擬似距離測定情報を含む［３１］の特定の装置。 
［３７］前記少なくとも１つのメッセージは、少なくとも１つの位置決定データメッセージ（ＰＤＤＭ）を含む［３１］の特定の装置。 
［３８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの前記少なくとも１つに関連する少なくとも１つのＧＮＳＳリソースとを特定する信号を含む［３１］の特定の装置。 
［３９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［３８］の特定の装置。 
［４０］前記ＧＮＳＳリソースは、ＧＮＳＳ信号、ＧＮＳＳ信号帯域、及び／又は宇宙ビークル（ＳＶ）のうちの少なくとも１つに関連する［３８］の特定の装置。 
［４１］無線通信ネットワークにおいて使用するための特定の装置であって、 
少なくとも１つのＳＰＳに関連する複数の符号位相値を表す位置決定情報信号にアクセスすることと、前記位置決定情報信号に少なくとも部分的に基づいて符号位相原点基準値を確立することと、前記複数の符号位相値に対応する複数の符号化符号位相値（該複数の符号化符号位相値の各々は前記符号位相原点基準値に関連する）を確立することとが実効的に可能である信号プロセッサと、 
少なくとも前記信号プロセッサに動作可能に接続され、前記複数の符号化符号位相値を表し前記符号位相原点基準値を特定する信号を含む少なくとも１つのメッセージを送信することが実効的に可能である送信機とを含む特定の装置。 
［４２］前記複数の符号位相値の少なくとも一部分は、異なる基準時間値に関連する［４１］の特定の装置。 
［４３］前記符号位相原点基準値は、前記異なる基準時間値とは無関係である［４２］の特定の装置。 
［４４］前記符号位相原点基準値は、前記複数の符号位相値の平均を含む［４１］の特定の装置。 
［４５］前記特定の装置は、ロケーションサーバを含み、 
前記複数の符号化符号位相値は、捕捉支援情報を含み、 
前記少なくとも１つのメッセージは、前記送信機によって移動局に送信される［４１］の特定の装置。 
［４６］前記特定の装置は、移動局を含み、 
前記複数の符号化符号位相値は、擬似距離測定情報を含み、 
前記少なくとも１つのメッセージは、前記送信機によってロケーションサーバに送信される［４１］の特定の装置。 
［４７］前記少なくとも１つのメッセージは、少なくとも１つの位置決定データメッセージ（ＰＤＤＭ）を含む［４１］の特定の装置。 
［４８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［４１］の特定の装置。 
［４９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［４８］の特定の装置。 
［５０］前記ＧＮＳＳリソースは、ＧＮＳＳ信号、ＧＮＳＳ信号帯域、及び／又は宇宙ビークル（ＳＶ）のうちの少なくとも１つに関連する［４８］の特定の装置。 
［５１］無線通信ネットワークにおいて使用するための特定の装置であって、 
１又は複数の衛星測位システム（ＳＰＳ）に関連する複数の符号化符号位相値を表し符号位相原点基準値を特定する信号を含む少なくとも１つのメッセージを受信することが実効的に可能である受信機と、 
前記複数の符号化符号位相値と前記符号位相原点基準値とに少なくとも部分的に基づいて、前記複数の符号化符号位相値に対応する複数の符号位相値を確立することが実効的に可能である信号プロセッサとを含む特定の装置。 
［５２］前記少なくとも１つのメッセージは、基準時間値を特定する信号を含み、 
前記信号プロセッサは、前記複数の符号化符号位相値と、前記符号位相原点基準値と、前記基準時間値とに少なくとも部分的に基づいて、前記複数の符号位相値を確立することが実効的に可能である［５１］の特定の装置。 
［５３］前記複数の符号位相値の各々は、前記符号位相原点基準値と前記複数の符号化符号位相値のうちの対応する符号化符号位相値とを基準時間値から減算することによって、確立される［５１］の特定の装置。 
［５４］前記基準時間値は、局所時間値を含む［５３］の特定の装置。 
［５５］前記特定の装置は、移動局を含み、 
前記少なくとも１つのメッセージは、ロケーションサーバによって送信される捕捉支援情報信号を含む［５１］の特定の装置。 
［５６］前記特定の装置は、ロケーションサーバを含み、 
前記少なくとも１つのメッセージは、移動局によって送信される似距離測定情報信号を含む［５１］の特定の装置。 
［５７］前記少なくとも１つのメッセージは、少なくとも１つの位置決定データメッセージ（ＰＤＤＭ）を含む［５１］の特定の装置。 
［５８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［５１］の特定の装置。 
［５９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［５８］の特定の装置。 
［６０］前記ＧＮＳＳリソースは、ＧＮＳＳ信号、ＧＮＳＳ信号帯域、及び／又は宇宙ビークル（ＳＶ）のうちの少なくとも１つに関連する［５８］の特定の装置。 
［６１］特定の装置中の１又は複数の処理ユニットによって実施された場合に、前記特定の装置が、 
少なくとも１つの衛星測位システム（ＳＰＳ）に関連する複数の符号位相値を表す位置決定情報信号に少なくとも部分的に基づいて符号位相原点基準値を確立することと、 
前記複数の符号位相値に対応する複数の符号化符号位相値（該複数の符号化符号位相値の各々は前記符号位相原点基準値に関連する）を確立することと、 
前記複数の符号化符号位相値を表し前記符号位相原点基準値を特定する信号を含む少なくとも１つのメッセージの送信を開始することと、 
を行うことを実効的に可能にするコンピュータ実行可能命令を記憶したコンピュータ読み取り可能な媒体を含む物品。 
［６２］前記複数の符号位相値の少なくとも一部分は、異なる基準時間値に関連する［６１］の物品。 
［６３］前記符号位相原点基準値は、前記異なる基準時間値とは無関係である［６２］の物品。 
［６４］前記符号位相原点基準値は、前記複数の符号位相値の平均を含む［６１］の物品。 
［６５］前記特定の装置は、ロケーションサーバを含み、 
前記複数の符号化符号位相値は、捕捉支援情報を含み、 
前記少なくとも１つのメッセージは、前記ロケーションサーバによって移動局に送信される［６１］の物品。 
［６６］前記特定の装置は、移動局を含み、 
前記複数の符号化符号位相値は、擬似距離測定情報を含み、 
前記少なくとも１つのメッセージは、前記移動局によってロケーションサーバに送信される［６１］の物品。 
［６７］前記少なくとも１つのメッセージは、少なくとも１つの位置決定データメッセージ（ＰＤＤＭ）を含む［６１］の物品。 
［６８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［６１］の物品。 
［６９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［６８］の物品。 
［７０］前記ＧＮＳＳリソースは、ＧＮＳＳ信号、ＧＮＳＳ信号帯域、及び／又は宇宙ビークル（ＳＶ）のうちの少なくとも１つに関連する［６８］の物品。 
［７１］特定の装置中の１又は複数の処理ユニットによって実施された場合に、前記特定の装置が、 
１又は複数の衛星測位システム（ＳＰＳ）に関連する複数の符号化符号位相値を表し符号位相原点基準値を特定する信号を含む少なくとも１つのメッセージにアクセスすることと、 
前記複数の符号化符号位相値と前記符号位相原点基準値とに少なくとも部分的に基づいて、前記複数の符号化符号位相値に対応する複数の符号位相値を確立することとを行うことを実効的に可能にするコンピュータ実行可能命令を記憶したコンピュータ読み取り可能な媒体を含む物品。 
［７２］前記少なくとも１つのメッセージは、基準時間値を特定する信号を含み、 
１又は複数の処理ユニットによって実施された場合、前記特定の装置が、前記複数の符号化符号位相値と、前記符号位相原点基準値と、前記基準時間値とに少なくとも部分的に基づいて、前記複数の符号位相値を確立することが実効的に可能であるコンピュータ実行可能命令をさらに含む［７１］の物品。 
［７３］前記複数の符号位相値の各々は、前記符号位相原点基準値と前記複数の符号化符号位相値のうちの対応する符号化符号位相値とを基準時間値から減算することによって、確立される［７１］の物品。 
［７４］前記基準時間値は、局所時間値を含む［７３］の物品。 
［７５］前記特定の装置は、移動局を含み、 
前記少なくとも１つのメッセージは、ロケーションサーバによって送信される捕捉支援情報信号を含む［７１］の物品。 
［７６］前記特定の装置は、ロケーションサーバを含み、 
前記少なくとも１つのメッセージは、移動局によって送信される似距離測定情報信号を含む［７１］の物品。 
［７７］前記少なくとも１つのメッセージは、少なくとも１つの位置決定データメッセージ（ＰＤＤＭ）を含む［７１］の物品。 
［７８］前記少なくとも１つのＳＰＳは、少なくとも１つの全地球的航法衛星システム（ＧＮＳＳ）を含み、 
前記少なくとも１つのメッセージは、前記少なくとも１つのＧＮＳＳと、前記複数の符号化符号位相値のうちの少なくとも１つに関連する少なくとも１つのＧＮＳＳリソースとを特定する信号を含む［７１］の物品。 
［７９］前記ＧＮＳＳリソースは、ＧＰＳリソース、ＳＢＡＳリソース、ＱＺＳＳリソース、ＧＬＯＮＡＳＳリソース、Ｇａｌｉｌｅｏリソース、及び／又はＣｏｍｐａｓｓ／ＢｅｉＤｏｕリソースのうちの少なくとも１つを含む［７８］の物品。 
［８０］前記ＧＮＳＳリソースは、ＧＮＳＳ信号、ＧＮＳＳ信号帯域、及び／又は宇宙ビークル（ＳＶ）のうちの少なくとも１つに関連する［７８］の物品。
【図１】
0005490787.tif 000014
【図２】
0005490787.tif 000015
【図３】
0005490787.tif 000016
【図４】
0005490787.tif 000017
【図５】
0005490787.tif 000018